(57)【要約】バックライト装置（１２）は、ＬＥＤ（１７）と、外周端面の少なくとも一部であってＬＥＤ（１７）からの光が入射される入光端面（１９ｂ）と一対の板面のいずれかであって光を出射させる出光板面（１９ａ）とを有する導光板（１９）と、入光端面（１９ｂ）の長さ方向に沿って延在するとともにＬＥＤ（１７）と入光端面（１９ｂ）との間に介在する形で配されてＬＥＤ（１７）からの光を波長変換する蛍光体を有する波長変換部（２０）であって、長さ方向についての少なくともいずれか一方の端側部分（２０ＥＰ）が、中央側部分（２０ＣＰ）よりも長さ方向についての単位長さ当たりの波長変換される光量が多い多発光量部（３２）とされる波長変換部（２０）と、を備える。
2017051848.tif 000002
【特許請求の範囲】
【請求項１】
光源と、  外周端面の少なくとも一部であって前記光源からの光が入射される入光端面と一対の板面のいずれかであって光を出射させる出光板面とを有する導光板と、  前記入光端面の長さ方向に沿って延在するとともに前記光源と前記入光端面との間に介在する形で配されて前記光源からの光を波長変換する蛍光体を有する波長変換部であって、前記長さ方向についての少なくともいずれか一方の端側部分が、中央側部分よりも前記長さ方向についての単位長さ当たりの波長変換される光量が多い多発光量部とされる波長変換部と、を備える照明装置。
【請求項２】
前記波長変換部は、前記多発光量部が前記中央側部分よりも前記蛍光体の含有濃度が高い請求項１記載の照明装置。
【請求項３】
前記波長変換部は、前記長さ方向についての一対の前記端側部分がそれぞれ前記多発光量部とされる請求項１または請求項２に記載の照明装置。
【請求項４】
前記波長変換部は、前記長さ方向についての一対の前記端側部分のうち片方の前記端側部分に封止部が設けられていて、前記封止部が設けられた側の前記端側部分が前記多発光量部とされ、  前記波長変換部は、前記封止部が設けられない側の前記端側部分と前記中央側部分とが、前記長さ方向についての単位長さ当たりの波長変換される光量が等しい請求項１から請求項３のいずれか１項に記載の照明装置。
【請求項５】
前記波長変換部は、前記長さ方向に沿って複数が並んで配されていて、前記長さ方向についての各前記端側部分のうち、少なくとも互いに隣り合うことがない一対の前記端側部分がそれぞれ前記多発光量部とされる請求項１から請求項４のいずれか１項に記載の照明装置。
【請求項６】
前記光源は、青色の光を発するものとされており、  前記波長変換部は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を有する請求項１から請求項５のいずれか１項に記載の照明装置。
【請求項７】
光源と、  外周端面の少なくとも一部であって前記光源からの光が入射される入光端面と一対の板面のいずれかであって光を出射させる出光板面とを有する導光板と、  前記入光端面の長さ方向に沿って延在するとともに前記光源と前記入光端面との間に介在する形で配されて前記光源からの光を波長変換する蛍光体を有する主波長変換部と、  前記主波長変換部のうち少なくとも前記長さ方向の端側部分に設けられて前記光源からの光を波長変換する副波長変換部と、を備える照明装置。
【請求項８】
前記副波長変換部は、前記端側部分の外面のうち、少なくとも前記導光板側の面に重なる形で配されている請求項７記載の照明装置。
【請求項９】
前記副波長変換部は、前記端側部分の外面のうち、少なくとも前記光源側の面に重なる形で配されている請求項７または請求項８記載の照明装置。
【請求項１０】
前記主波長変換部は、前記長さ方向について複数が並んで配されており、  前記副波長変換部は、複数の前記主波長変換部において互いに隣り合う前記端側部分の間に跨る形で配されている請求項７から請求項９のいずれか１項に記載の照明装置。
【請求項１１】
前記副波長変換部は、前記端側部分の外面のうち、少なくとも前記長さ方向についての端面に重なる形で配されている請求項７から請求項１０のいずれか１項に記載の照明装置。
【請求項１２】
前記副波長変換部は、前記端側部分の外面のうち、前記導光板における前記出光板面と同じ側の面と、前記出光板面とは反対側の面と、の少なくともいずれか一方に重なる形で配されている請求項７から請求項１１のいずれか１項に記載の照明装置。
【請求項１３】
請求項１から請求項１２のいずれか１項に記載の照明装置と、前記照明装置から照射される光を利用して画像を表示する表示パネルと、を備える表示装置。
【請求項１４】
請求項１３記載の表示装置を備えるテレビ受信装置。
【請求項１５】
光源と導光板のうち前記光源からの光が入射される入光端面との間に介在する形で配されて前記光源からの光を波長変換する蛍光体を有する波長変換部の製造方法であって、  前記入光端面の長さ方向に沿って延在する容器を、前記長さ方向について少なくともいずれか一方の端側部分が開口した状態で製造する容器製造工程と、  光硬化性樹脂材料に蛍光体を含有してなる第１蛍光体溶液を前記容器内に開口を通して注入して前記容器のうち少なくとも前記長さ方向についての中央側部分に配する第１蛍光体溶液注入工程と、  前記容器内に注入した前記第１蛍光体溶液に硬化のための光を照射する第１蛍光体溶液硬化工程と、  前記第１蛍光体溶液よりも前記蛍光体の含有濃度が高い第２蛍光体溶液を前記容器内に開口を通して注入して前記容器のうち前記長さ方向についての少なくともいずれか一方の端側部分に配する第２蛍光体溶液注入工程と、  前記容器内に注入した第２蛍光体溶液に硬化のための光を照射する第２蛍光体溶液硬化工程と、  前記容器における開口を封止する封止工程と、を備える波長変換部の製造方法。
【発明の詳細な説明】
【技術分野】
【０００１】  本発明は、照明装置、表示装置、テレビ受信装置及び波長変換部の製造方法に関する。
【背景技術】
【０００２】  従来の液晶表示装置に用いられるバックライトの一例として下記特許文献１に記載されたものが知られている。この特許文献１に記載されたバックライトである面状光源は、青色が発光可能なＬＥＤと、ＬＥＤの発光により励起されて蛍光を発する蛍光物質が具備された波長変換体と、ＬＥＤと波長変換体を介して設けられＬＥＤからの発光と蛍光物質からの発光とを合成した発光を端面より導入し発光観測面側から放出する導光板からなる。
【先行技術文献】
【特許文献】
【０００３】
【特許文献１】特許第３１１４８０５号公報
【０００４】（発明が解決しようとする課題）  上記した特許文献１に記載されたような波長変換体は、導光板の端面の長さ方向に沿って延在しているが、その長さ方向の端縁には蛍光物質が配置されない領域が生じるものとされる。ここで、バックライトの狭額縁化が進行すると、波長変換体における蛍光物質が配置されない領域がＬＥＤと重なり合う位置関係となり易く、それに起因してＬＥＤからの光が蛍光体により波長変換されずに導光板の端面における長さ方向の端側部分に入射してしまい、色ムラが発生することが懸念されていた。
【発明の概要】
【０００５】  本発明は上記のような事情に基づいて完成されたものであって、色ムラの発生を抑制することを目的とする。
【０００６】（課題を解決するための手段）  本発明の照明装置は、光源と、外周端面の少なくとも一部であって前記光源からの光が入射される入光端面と一対の板面のいずれかであって光を出射させる出光板面とを有する導光板と、前記入光端面の長さ方向に沿って延在するとともに前記光源と前記入光端面との間に介在する形で配されて前記光源からの光を波長変換する蛍光体を有する波長変換部であって、前記長さ方向についての少なくともいずれか一方の端側部分が、中央側部分よりも前記長さ方向についての単位長さ当たりの波長変換される光量が多い多発光量部とされる波長変換部と、を備える。
【０００７】  このようにすれば、光源から発せられた光は、光源と入光端面との間に介在する形で配される波長変換部に有される蛍光体にて波長変換されるなどしてから導光板の入光端面に入射されて導光板内を伝播された後に出光板面から出射される。この波長変換部は、入光端面の長さ方向に沿って延在しているが、その長さ方向の端縁には蛍光体が配置されない領域が生じるものとされる。ここで、当該照明装置の狭額縁化が進行すると、波長変換部における蛍光体が配置されない領域が光源と重なり合う位置関係となり易く、それに起因して光源からの光が蛍光体により波長変換されずに導光板の入光端面における長さ方向の端側部分に入射することが懸念されていた。これに対し、波長変換部は、入光端面の長さ方向についての少なくともいずれか一方の端側部分が、中央側部分よりも入光端面の長さ方向についての単位長さ当たりの波長変換される光量が多い多発光量部とされているから、波長変換部における長さ方向の端縁に蛍光体が配置されない領域が生じ、その領域が光源と重なり合うような位置関係になっても、多発光量部によって光源の光が効率的に波長変換されるようになっている。これにより、導光板の入光端面における長さ方向の端側部分に入射される光の色味と、入光端面における長さ方向の中央側部分に入射される光の色味と、に差が生じ難くなるので、狭額縁化が進行しても出光板面から出射される光に色ムラが発生し難いものとなる。
【０００８】  また、本発明の照明装置は、その異なる態様として、光源と、外周端面の少なくとも一部であって前記光源からの光が入射される入光端面と一対の板面のいずれかであって光を出射させる出光板面とを有する導光板と、前記入光端面の長さ方向に沿って延在するとともに前記光源と前記入光端面との間に介在する形で配されて前記光源からの光を波長変換する蛍光体を有する主波長変換部と、前記主波長変換部のうち少なくとも前記長さ方向の端側部分に設けられて前記光源からの光を波長変換する副波長変換部と、を備える。
【０００９】  このようにすれば、光源から発せられた光は、光源と入光端面との間に介在する形で配される主波長変換部に有される蛍光体にて波長変換されるなどしてから導光板の入光端面に入射されて導光板内を伝播された後に出光板面から出射される。この主波長変換部は、入光端面の長さ方向に沿って延在しているが、長さ方向の端縁には蛍光体が配置されない領域が生じるものとされる。ここで、当該照明装置の狭額縁化が進行すると、主波長変換部における蛍光体が配置されない領域が光源と重なり合う位置関係となり易く、それに起因して光源からの光が蛍光体により波長変換されずに導光板の入光端面における長さ方向の端側部分に入射することが懸念されていた。これに対し、主波長変換部のうち少なくとも長さ方向の端側部分には、光源からの光を波長変換する副波長変換部が設けられているから、主波長変換部における長さ方向の端縁に蛍光体が配置されない領域が生じ、その領域が光源と長さ方向について重なり合うような位置関係になっても、主波長変換部における長さ方向の端側部分を透過する光に含まれる波長未変換の光を副波長変換部によって波長変換することができる。これにより、導光板の入光端面における長さ方向の端側部分に入射される光の色味と、入光端面における長さ方向の中央側部分に入射される光の色味と、に差が生じ難くなるので、狭額縁化が進行しても出光板面から出射される光に色ムラが発生し難いものとなる。
【００１０】  上記課題を解決するために、本発明の表示装置は、上記記載のいずれかの照明装置と、前記照明装置から照射される光を利用して画像を表示する表示パネルと、を備える。このような構成の表示装置によれば、照明装置からの光に色ムラが生じ難いものとなっているから、表示品位に優れた表示を実現することができる。また、上記課題を解決するために、本発明のテレビ受信装置は、上記記載の表示装置を備える。このようなテレビ受信装置によれば、表示装置の表示品位が優れたものとされているから、表示品位に優れたテレビ画像の表示を実現することができる。
【００１１】  上記課題を解決するために、本発明の波長変換部の製造方法は、光源と導光板のうち前記光源からの光が入射される入光端面との間に介在する形で配されて前記光源からの光を波長変換する蛍光体を有する波長変換部の製造方法であって、前記入光端面の長さ方向に沿って延在する容器を、前記長さ方向について少なくともいずれか一方の端側部分が開口した状態で製造する容器製造工程と、光硬化性樹脂材料に蛍光体を含有してなる第１蛍光体溶液を前記容器内に開口を通して注入して前記容器のうち少なくとも前記長さ方向についての中央側部分に配する第１蛍光体溶液注入工程と、前記容器内に注入した前記第１蛍光体溶液に硬化のための光を照射する第１蛍光体溶液硬化工程と、前記第１蛍光体溶液よりも前記蛍光体の含有濃度が高い第２蛍光体溶液を前記容器内に開口を通して注入して前記容器のうち前記長さ方向についての少なくともいずれか一方の端側部分に配する第２蛍光体溶液注入工程と、前記容器内に注入した第２蛍光体溶液に硬化のための光を照射する第２蛍光体溶液硬化工程と、前記容器における開口を封止する封止工程と、を備える。
【００１２】  まず、容器製造工程を経て製造された容器内には、第１蛍光体溶液注入工程において光硬化性樹脂材料に蛍光体を含有してなる第１蛍光体溶液が開口を通して注入される。このとき注入される第１蛍光体溶液は、容器のうち少なくとも長さ方向についての中央側部分に配される。この状態で第１蛍光体溶液硬化工程が行われることで、第１蛍光体溶液が光硬化される。続いて、第２蛍光体溶液注入工程では、容器内には、第１蛍光体溶液よりも蛍光体の含有濃度が高い第２蛍光体溶液が開口を通して注入される。容器のうち少なくとも長さ方向についての中央側部分には、先行して第１蛍光体溶液が注入されてその硬化が図られているので、第２蛍光体溶液注入工程にて注入される第２蛍光体溶液は、第１蛍光体溶液と混ざり合うことなく、容器のうち長さ方向についての少なくともいずれか一方の端側部分に配される。この状態で第２蛍光体溶液硬化工程が行われることで、第２蛍光体溶液が光硬化される。そして、封止工程では容器における開口が封止される。このようにして製造された波長変換部は、光源と入光端面との間に介在する形で配されることで、光源から発せられた光を蛍光体によって波長変換した上で入光端面に導入することができる。ここで、波長変換部における長さ方向の端縁には蛍光体が配置されない領域が生じるものとされ、当該照明装置の狭額縁化が進行すると、波長変換部における蛍光体が配置されない領域が光源と重なり合う位置関係となり易く、それに起因して光源からの光が蛍光体により波長変換されずに導光板の入光端面における長さ方向の端側部分に入射することが懸念されていた。これに対し、波長変換部は、入光端面の長さ方向についての少なくともいずれか一方の端側部分に、中央側部分に配された第１蛍光体溶液よりも蛍光体の含有濃度が高い第２蛍光体溶液が配されているから、波長変換部における長さ方向の端縁に蛍光体が配置されない領域が生じ、その領域が光源と重なり合うような位置関係になっても、第２蛍光体溶液に含まれる蛍光体によって光源の光が効率的に波長変換されるようになっている。これにより、導光板の入光端面における長さ方向の端側部分に入射される光の色味と、入光端面における長さ方向の中央側部分に入射される光の色味と、に差が生じ難くなるので、狭額縁化が進行しても色ムラが発生し難いものとなる。
【００１３】（発明の効果）  本発明によれば、色ムラの発生を抑制することができる。
【図面の簡単な説明】
【００１４】
【図１】本発明の実施形態１に係るテレビ受信装置の概略構成を示す分解斜視図
【図２】テレビ受信装置が備える液晶表示装置の概略構成を示す分解斜視図
【図３】液晶表示装置が備えるバックライト装置を構成するシャーシ、ＬＥＤ基板及び導光板の平面図
【図４】液晶表示装置を短辺方向に沿って切断した断面構成を示す断面図
【図５】液晶表示装置を長辺方向に沿って切断した断面構成を示す断面図
【図６】ＬＥＤ及びＬＥＤ基板の断面図
【図７】図４の拡大図
【図８】図４のviii-viii線断面図
【図９】図８の拡大図
【図１０】波長変換部におけるＸ１端からＸ２端に至るまでの単位長さ当たりの波長変換される光量の変化を示すグラフ
【図１１】波長変換部の製造過程において容器製造工程を経て容器を製造した状態を示す断面図
【図１２】波長変換部の製造過程において第１蛍光体溶液注入工程及び第１蛍光体溶液硬化工程を経て容器内に注入した第１蛍光体溶液を光硬化させた状態を示す断面図
【図１３】波長変換部の製造過程において第２蛍光体溶液注入工程及び第２蛍光体溶液硬化工程を経て容器内に注入した第２蛍光体溶液を光硬化させた状態を示す断面図
【図１４】波長変換部の製造過程において封止工程を経て容器の両端側部分の開口を封止した状態を示す断面図
【図１５】本発明の実施形態２に係るバックライト装置の拡大平断面図
【図１６】波長変換部の製造過程において容器製造工程を経て容器を製造した状態を示す断面図
【図１７】波長変換部の製造過程において蛍光体溶液注入工程及び蛍光体溶液硬化工程を経て容器内に注入した蛍光体溶液を光硬化させた状態を示す断面図
【図１８】波長変換部の製造過程において封止工程を経て容器の両端側部分の開口を封止した状態を示す断面図
【図１９】本発明の実施形態３に係るバックライト装置の拡大平断面図
【図２０】波長変換部におけるＸ１端からＸ２端に至るまでの単位長さ当たりの波長変換される光量の変化を示すグラフ
【図２１】波長変換部の製造過程において容器製造工程を経て容器を製造した状態を示す断面図
【図２２】波長変換部の製造過程において第１蛍光体溶液注入工程及び第１蛍光体溶液硬化工程を経て容器内に注入した第１蛍光体溶液を光硬化させた状態を示す断面図
【図２３】波長変換部の製造過程において第２蛍光体溶液注入工程及び第２蛍光体溶液硬化工程を経て容器内に注入した第２蛍光体溶液を光硬化させた状態を示す断面図
【図２４】波長変換部の製造過程において封止工程を経て容器の一方の両端側部分の開口を封止した状態を示す断面図
【図２５】本発明の実施形態４に係るバックライト装置の拡大平断面図
【図２６】波長変換部におけるＸ１端からＸ２端に至るまでの単位長さ当たりの波長変換される光量の変化を示すグラフ
【図２７】本発明の実施形態５に係るバックライト装置の拡大平断面図
【図２８】本発明の実施形態６に係るバックライト装置の拡大平断面図
【図２９】本発明の実施形態７に係るバックライト装置の拡大平断面図
【図３０】本発明の実施形態８に係るバックライト装置の拡大側断面図
【図３１】ホルダの正面図
【図３２】ホルダの背面図
【図３３】本発明の実施形態９に係るバックライト装置の平断面図
【図３４】本発明の実施形態１０に係るバックライト装置の平断面図
【図３５】本発明の実施形態１１に係るバックライト装置の平断面図
【図３６】実施形態１２のテレビ受信装置が備える液晶表示装置の概略構成を示す分解斜視図
【図３７】液晶表示装置が備えるバックライト装置を構成するシャーシ、ＬＥＤ基板及び導光板の平面図
【図３８】実施形態１の図８に相当する断面図
【図３９】図３８の拡大図
【図４０】図３９のx-x線断面図
【図４１】副波長変換部の断面図
【図４２】本発明の実施形態１３に係るバックライト装置の拡大平断面図
【図４３】本発明の実施形態１４に係るバックライト装置の拡大平断面図
【図４４】本発明の実施形態１５に係るバックライト装置の拡大平断面図
【図４５】本発明の実施形態１６に係るバックライト装置の拡大平断面図
【図４６】本発明の実施形態１７に係るバックライト装置の拡大平断面図
【図４７】本発明の実施形態１８に係るバックライト装置の拡大平断面図
【図４８】本発明の実施形態１９に係るバックライト装置の拡大平断面図
【図４９】本発明の実施形態２０に係るバックライト装置の拡大平断面図
【図５０】本発明の実施形態２１に係るバックライト装置の拡大平断面図
【図５１】本発明の実施形態２２に係るバックライト装置の拡大平断面図
【図５２】本発明の実施形態２３に係るバックライト装置の拡大平断面図
【図５３】本発明の実施形態２４に係るバックライト装置の拡大平断面図
【図５４】本発明の実施形態２５に係るバックライト装置の拡大平面図
【図５５】図５４のxxv-xxv線断面図
【図５６】本発明の実施形態２６に係るバックライト装置の平面図
【図５７】本発明の実施形態２７に係るバックライト装置の平面図
【図５８】本発明の実施形態２８に係るバックライト装置の平面図
【図５９】本発明の実施形態２９に係るバックライト装置の拡大側断面図
【発明を実施するための形態】
【００１５】  ＜実施形態１＞  本発明の実施形態１を図１から図１４によって説明する。本実施形態では、バックライト装置１２、それを用いた液晶表示装置１０及びテレビ受信装置１０ＴＶについて例示する。また、本実施形態では、バックライト装置１２に備えられる波長変換部２０の製造方法についても例示する。なお、各図面の一部にはＸ軸、Ｙ軸及びＺ軸を示しており、各軸方向が各図面で示した方向となるように描かれている。また、図４及び図５などに示す上側を表側とし、同図下側を裏側とする。
【００１６】  本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００１７】  次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００１８】  バックライト装置１２は、図２に示すように、表側（液晶パネル１１側、出光側）の外部に向けて開口する光出射部１４ｂを有した略箱型をなすシャーシ１４と、シャーシ１４の光出射部１４ｂを覆う形で配される複数の光学部材（光学シート）１５と、を備える。さらに、シャーシ１４内には、光源であるＬＥＤ１７と、ＬＥＤ１７が実装されたＬＥＤ基板１８と、ＬＥＤ１７からの光を導光して光学部材１５（液晶パネル１１）へと導く導光板１９と、ＬＥＤ１７と導光板１９との間に介在する形で配されてＬＥＤ１７からの光を波長変換する波長変換部２０と、導光板１９などを表側から押さえるとともに光学部材１５を裏側から受けるフレーム１６と、が備えられる。そして、このバックライト装置１２は、その長辺側の一対の端部のうちの一方（図２及び図３に示す手前側、図４に示す左側）の端部に、ＬＥＤ基板１８が配されており、そのＬＥＤ基板１８に実装された各ＬＥＤ１７が液晶パネル１１における長辺側の一端部寄りに偏在していることになる。このように、本実施形態に係るバックライト装置１２は、ＬＥＤ１７の光が導光板１９に対して片側からのみ入光される片側入光タイプのエッジライト型（サイドライト型）とされている。続いて、バックライト装置１２の各構成部品について詳しく説明する。
【００１９】  シャーシ１４は、金属製とされ、図２及び図３に示すように、液晶パネル１１と同様に横長の方形状をなす底部１４ａと、底部１４ａの各辺の外端からそれぞれ立ち上がる側部１４ｃと、からなり、全体としては表側に向けて開口した浅い略箱型をなしている。シャーシ１４（底部１４ａ）は、その長辺方向がＸ軸方向（水平方向）と一致し、短辺方向がＹ軸方向（鉛直方向）と一致している。また、側部１４ｃには、フレーム１６及びベゼル１３が固定可能とされる。
【００２０】  光学部材１５は、図２に示すように、液晶パネル１１及びシャーシ１４と同様に平面に視て横長の方形状をなしている。光学部材１５は、シャーシ１４の光出射部１４ｂを覆うとともに、液晶パネル１１と導光板１９との間に介在する形で配されている。つまり、光学部材１５は、ＬＥＤ１７に対して出光経路の出口側に配されている、と言える。光学部材１５は、シート状をなしていて合計で３枚が備えられている。具体的には、光学部材１５は、光に等方性集光作用を付与するマイクロレンズシート２１と、光に異方性集光作用を付与するプリズムシート２２と、光を偏光反射する反射型偏光シート２３と、から構成される。光学部材１５は、図４及び図５に示すように、裏側からマイクロレンズシート２１、プリズムシート２２、及び反射型偏光シート２３の順で相互に積層されてそれらの外縁部がフレーム１６に対してその表側に載せられている。つまり、光学部材１５を構成するマイクロレンズシート２１、プリズムシート２２、及び反射型偏光シート２３は、導光板１９に対して表側、つまり光出射側にフレーム１６（詳しくは後述する枠状部１６ａ）分の間隔を空けて対向状をなしている。
【００２１】  フレーム１６は、図２に示すように、導光板１９及び光学部材１５の外周縁部に沿って延在する横長の枠状部（額縁状部、枠状支持部）１６ａを有しており、その枠状部１６ａにより導光板１９の外周縁部をほぼ全周にわたって表側から押さえて支持するものとされる。フレーム１６の枠状部１６ａは、光学部材１５（マイクロレンズシート２１）と導光板１９との間に介在するとともに、光学部材１５の外周縁部を裏側から受けて支持するものとされ、それにより光学部材１５が導光板１９との間に枠状部１６ａ分の間隔を空けた位置に保たれる。また、フレーム１６の枠状部１６ａにおける裏側（導光板１９側）の面には、例えばポロン（登録商標）などからなる緩衝材２４が設けられている。緩衝材２４は、枠状部１６ａの全周にわたって延在するよう枠状をなしている。さらには、フレーム１６は、枠状部１６ａから表側に向けて突出するとともに、液晶パネル１１における外周縁部を裏側から支持する液晶パネル支持部１６ｂを有している。
【００２２】  次に、ＬＥＤ１７及びＬＥＤ１７が実装されるＬＥＤ基板１８について説明する。ＬＥＤ１７は、図３及び図４に示すように、ＬＥＤ基板１８上に表面実装されるとともにその発光面１７ａがＬＥＤ基板１８側とは反対側を向いた、いわゆる頂面発光型とされている。このＬＥＤ１７は、青色の単色光を発する青色ＬＥＤとされている。そして、ＬＥＤ１７から発せられた青色の光は、その一部が詳しくは後述する波長変換部２０によって緑色の光や赤色の光に波長変換されるようになっており、これら波長変換された緑色の光及び赤色の光（二次光）と、ＬＥＤ１７の青色の光（一次光）と、の加法混色によりバックライト装置１２の出射光が概ね白色を呈するものとされる。
【００２３】  詳しくは、ＬＥＤ１７は、図６に示すように、発光源である青色ＬＥＤ素子（青色発光素子、青色ＬＥＤチップ）２６と、青色ＬＥＤ素子２６を封止する封止材２７と、青色ＬＥＤ素子２６が収容されるとともに封止材２７が充填されるケース（収容体、筐体）２８と、を備える。青色ＬＥＤ素子２６は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。つまり、ＬＥＤ１７の発光光は、この青色ＬＥＤ素子２６の発光光と同色の単色光とされる。この青色ＬＥＤ素子２６は、図示しないリードフレームによってケース２８外に配されたＬＥＤ基板１８における配線パターンに接続される。封止材２７は、ＬＥＤ１７の製造工程では青色ＬＥＤ素子２６が収容されたケース２８の内部空間に充填されることで、青色ＬＥＤ素子２６及びリードフレームを封止するとともにこれらの保護を図るものとされる。封止材２７は、ほぼ透明な熱硬化性樹脂材料（例えば、エポキシ樹脂材料、シリコーン樹脂材料など）からなるものとされ、それにより青色ＬＥＤ素子２６から発せられた青色の単色光がそのままＬＥＤ１７の発光光となるものとされる。ケース２８は、表面が光の反射性に優れた白色を呈する合成樹脂材料（例えばポリアミド系樹脂材料）またはセラミック材料からなる。ケース２８は、全体として発光面１７ａ側が開口した有底筒型をなしており、その底面に青色ＬＥＤ素子２６が配置されるとともに、周壁を上記リードフレームが貫通されることで青色ＬＥＤ素子２６がＬＥＤ基板１８の配線パターンに接続されている。
【００２４】  ＬＥＤ基板１８は、図３及び図４に示すように、シャーシ１４の長辺方向（Ｘ軸方向、導光板１９における入光端面１９ｂの長手方向）に沿って延在する細長い板状をなすとともに、その板面をＸ軸方向及びＺ軸方向に並行した姿勢、つまり液晶パネル１１及び導光板１９（光学部材１５）の板面と直交させた姿勢でシャーシ１４内に収容されている。すなわち、このＬＥＤ基板１８は、板面における長辺方向（長さ方向）がＸ軸方向と、短辺方向（幅方向）がＺ軸方向と、それぞれ一致し、さらには板面と直交する板厚方向がＹ軸方向と一致した姿勢とされる。ＬＥＤ基板１８は、導光板１９とシャーシ１４における一方の長辺側の側部１４ｃとの間に介在するよう配され、シャーシ１４に対してはＺ軸方向に沿って表側から収容されるようになっている。ＬＥＤ基板１８は、ＬＥＤ１７が実装される実装面１８ａとは反対側の板面がシャーシ１４における長辺側の側部１４ｃの内面に接する形でそれぞれ取り付けられている。従って、ＬＥＤ基板１８に実装された各ＬＥＤ１７の発光面１７ａが、後述する導光板１９の長辺側の端面（入光端面１９ｂ）と対向状をなすとともに、各ＬＥＤ１７における光軸、つまり発光強度が最も高い光の進行方向がＹ軸方向（液晶パネル１１の板面に並行する方向、ＬＥＤ１７と導光板１９との並び方向、入光端面１９ｂの法線方向）とほぼ一致する。
【００２５】  ＬＥＤ基板１８は、図３及び図４に示すように、その内側、つまり導光板１９側を向いた板面（導光板１９との対向面）が、上記した構成のＬＥＤ１７が表面実装された実装面１８ａとされる。ＬＥＤ１７は、ＬＥＤ基板１８の実装面１８ａにおいて、その長さ方向（Ｘ軸方向）に沿って複数が所定の間隔を空けつつ一列に（直線的に）並んで配置されている。つまり、ＬＥＤ１７は、バックライト装置１２における一方の長辺側の端部において長辺方向（入光端面１９ｂの長さ方向）に沿って複数が間欠的に並んで配置されている、と言える。従って、ＬＥＤ１７の並び方向は、ＬＥＤ基板１８の長さ方向（入光端面１９ｂの長さ方向）と一致していることになる。Ｘ軸方向について隣り合うＬＥＤ１７間の間隔、つまりＬＥＤ１７の配列間隔（配列ピッチ）は、ほぼ等しいものとされており、別言するとＬＥＤ１７は等ピッチ配列されている、と言える。ＬＥＤ基板１８におけるＬＥＤ１７のＸ軸方向についての寸法は、ＬＥＤ１７の配列間隔よりも大きなものとされ、具体的には例えば５ｍｍ〜１０ｍｍ程度とされる。また、ＬＥＤ基板１８の実装面１８ａには、Ｘ軸方向に沿って延在するとともにＬＥＤ１７群を横切って隣り合うＬＥＤ１７同士を直列に接続する、金属膜（銅箔など）からなる配線パターン（図示せず）が形成されており、この配線パターンの端部に形成された端子部に対して図示しないＬＥＤ駆動回路基板が同じく図示しない配線部材などを介して電気的に接続されることで、各ＬＥＤ１７に駆動電力を供給することが可能とされる。このＬＥＤ基板１８は、板面の片面のみが実装面１８ａとされる片面実装タイプとされている。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００２６】  導光板１９は、ほぼ透明で透光性に優れた合成樹脂材料（例えばＰＭＭＡなどのアクリル樹脂材料など）からなり、その屈折率が例えば１．４９程度と、空気の屈折率よりも十分に高いものとされる。導光板１９は、図２及び図３に示すように、液晶パネル１１及びシャーシ１４と同様に平面に視て横長の方形状をなすとともに光学部材１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１９は、図４及び図５に示すように、シャーシ１４内において液晶パネル１１及び光学部材１５の直下位置に配されており、その外周端面のうちの一方（図２及び図３に示す手前側、図４に示す左側）の長辺側の端面がシャーシ１４における長辺側の一端部に配されたＬＥＤ基板１８の各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に向けて発せられた光を導入するとともに、その光を内部で伝播させつつ光学部材１５側（表側）へ向くよう立ち上げて出射させる機能を有する。導光板１９の厚み（Ｚ軸方向についての寸法）は、ＬＥＤ１７の高さ寸法（Ｚ軸方向についての寸法）よりも大きなものとされる。
【００２７】  導光板１９における一対の板面のうちの表側の板面が、図４及び図５に示すように、内部の光を光学部材１５及び液晶パネル１１に向けて出射させる出光板面（光出射面）１９ａとなっている。導光板１９における板面に対して隣り合う外周端面は、その周方向であるＸ軸方向（ＬＥＤ１７の並び方向、ＬＥＤ基板１８の長辺方向、導光板１９の長辺方向）に沿って長手状をなす一対の長辺側の端面と、同じく周方向であるＹ軸方向（ＬＥＤ１７と導光板１９との並び方向、ＬＥＤ基板１８の板厚方向、導光板１９の短辺方向）に沿って長手状をなす一対の短辺側の端面と、から構成される。導光板１９の外周端面を構成する一対の長辺側の端面のうち、一方（図２及び図３に示す手前側）の長辺側の端面は、ＬＥＤ１７（ＬＥＤ基板１８）と所定の空間（後述する波長変換部２０の配置スペース）を空けて対向状をなしており、これがＬＥＤ１７から発せられた光が後述する波長変換部２０を介して入射される入光端面（光入射面）１９ｂとなっている。この入光端面１９ｂは、ＬＥＤ１７と対向状をなしていることから、「ＬＥＤ対向端面（光源対向端面）」であるとも言える。入光端面１９ｂは、その長さ方向（長辺方向）がＸ軸方向と、幅方向（短辺方向）がＺ軸方向と、法線方向がＹ軸方向と、それぞれ一致しており、出光板面１９ａに対して略直交する面とされる。これに対して、導光板１９の上記外周端面のうち、入光端面１９ｂを除いた部分（他方の長辺側の端面及び一対の短辺側の端面）が、ＬＥＤ１７から発せられた光が直接的に入射されることがない非入光端面１９ｄとされる。この非入光端面１９ｄは、ＬＥＤ１７と対向状をなしていないことから、「ＬＥＤ非対向端面（光源非対向端面）」であるとも言える。非入光端面１９ｄは、導光板１９の上記外周端面における一対の長辺側の端面のうちの他方の端面、つまり上記した入光端面１９ｂとは反対側の端面から構成される非入光反対端面１９ｄ１と、入光端面１９ｂ及び非入光反対端面１９ｄ１に対して隣り合う一対の短辺側の端面から構成される一対の非入光側端面１９ｄ２と、からなる。なお、本実施形態では、ＬＥＤ非対向端面のことを「非入光端面１９ｄ」として説明しているが、光が全く入射しないことまでを意味するものではなく、例えば非入光端面１９ｄから一旦外側に漏れ出した光が例えばシャーシ１４の側部１４ｃによって反射されて戻された場合にはその戻される光が非入光端面１９ｄに入射することもあり得る。
【００２８】  導光板１９における裏側、つまり出光板面１９ａとは反対側の反対板面１９ｃに対しては、図４及び図５に示すように、反射シート（反射部材）２５が裏側に重なる形で配されている。反射シート２５は、表面が光の反射性に優れた白色を呈する合成樹脂製（例えば発泡ＰＥＴ製）とされていて、導光板１９内を伝播して反対板面１９ｃに達した光を反射することでその光を表側、つまり出光板面１９ａへ向かうよう立ち上げるものとされる。反射シート２５は、導光板１９の反対板面１９ｃをほぼ全域にわたって覆う形で配されている。反射シート２５は、平面に視てＬＥＤ基板１８（ＬＥＤ１７）と重畳する範囲にまで拡張されてその拡張部分と表側のフレーム１６の枠状部１６ａとの間でＬＥＤ基板１８（ＬＥＤ１７）を挟み込む形で配されている。これにより、ＬＥＤ１７からの光を反射シート２５の拡張部分によって反射することで、入光端面１９ｂに対して効率的に入射させることができる。この導光板１９の反対板面１９ｃには、導光板１９内の光を出光板面１９ａに向けて反射させることで出光板面１９ａから出射を促すための光反射部からなる光反射パターン（図示せず）が形成されている。この光反射パターンを構成する光反射部は、多数の光反射ドットからなるものとされており、その分布密度が入光端面１９ｂ（ＬＥＤ１７）からの距離に応じて変化するものとされる。具体的には、光反射部を構成する光反射ドットの分布密度は、Ｙ軸方向について入光端面１９ｂから遠ざかるほど（非入光反対端面１９ｄ１に近づくほど）高くなり、逆に入光端面１９ｂに近づくほど（非入光反対端面１９ｄ１から遠ざかるほど）低くなる傾向にあり、それにより出光板面１９ａからの出射光が面内において均一な分布となるよう制御されている。
【００２９】  波長変換部２０について詳しく説明する。波長変換部２０は、図７及び図８に示すように、ＬＥＤ１７から発せられた光（一次光）を他の波長の光（二次光）へと波長変換する蛍光体（波長変換物質）を有するとともにＬＥＤ１７と導光板１９の入光端面１９ｂとの間に介在する形で配されている。波長変換部２０は、図示しない保持手段によって上記した姿勢に保持されている。波長変換部２０は、導光板１９の入光端面１９ｂにおける長さ方向（Ｘ軸方向）に沿って延在し、入光端面１９ｂに対してほぼ全長にわたって対向状をなすとともにＬＥＤ基板１８に実装された全てのＬＥＤ１７に対して対向状をなす形で配されている。波長変換部２０は、その長さ方向（延在方向、Ｘ軸方向）と直交する方向に沿って切断した断面形状が縦長の略長円形状をなしており、長さ寸法（Ｘ軸方向についての寸法）が導光板１９の長辺寸法（入光端面１９ｂの長さ寸法）よりも大きく、高さ寸法（Ｚ軸方向についての寸法）が導光板１９の厚み寸法（入光端面１９ｂの幅寸法）よりも大きなものとされる。波長変換部２０は、Ｘ軸方向及びＺ軸方向に沿う両外面が共にほぼフラットな面とされており、各ＬＥＤ１７の発光面１７ａと対向する外面が同発光面１７ａに並行して同発光面１７ａからの光が入射される入光面２０ａとされるのに対し、導光板１９の入光端面１９ｂと対向する外面が同入光端面１９ｂに並行して同入光端面１９ｂに向けて光が出射される出光面２０ｂとされる。波長変換部２０は、その幅方向（Ｙ軸方向）について内端位置がフレーム１６の枠状部１６ａの内端位置よりも外側に配されている。つまり、波長変換部２０は、その全域がフレーム１６の枠状部１６ａと平面に視て重畳する配置とされているので、液晶表示装置１０の使用者に表側から波長変換部２０が直接視認されるなどといった事態が生じ難いものとされる。このような構成によれば、ＬＥＤ１７から発せられた光は、ＬＥＤ１７と導光板１９の入光端面１９ｂとの間に介在する形で配される波長変換部２０を透過する過程で波長変換されるなどしてから入光端面１９ｂに入射されて導光板１９内を伝播された後に出光板面１９ａから出射されることになる。波長変換部２０は、ＬＥＤ１７と導光板１９の入光端面１９ｂとの間に介在する形で配されているので、仮に波長変換部をシート状に形成して導光板１９の出光板面１９ａまたは反対板面１９ｃに重なる形で配した場合に比べると、蛍光体の使用量が少なく済み、もって製造コストを低下させる上で好適とされる。
【００３０】  そして、波長変換部２０は、図７及び図８に示すように、ＬＥＤ１７からの光を波長変換するための蛍光体（波長変換物質）を含有する蛍光体含有部２９と、入光端面１９ｂの長さ方向であるＸ軸方向に沿って延在して蛍光体含有部２９を収容する容器（キャピラリ）３０と、容器３０におけるＸ軸方向についての端側部分を封止する封止部３１と、を有している。蛍光体含有部２９には、ＬＥＤ１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、波長変換部２０は、ＬＥＤ１７の発光光（青色の光、一次光）をその色味（青色）に対して補色となる色味（黄色）を呈する二次光（緑色の光及び赤色の光）に波長変換するものとされる。蛍光体含有部２９は、例えば液体状態の紫外線硬化性樹脂材料中に赤色蛍光体及び緑色蛍光体を分散配合して得た蛍光体溶液を容器３０内に注入した後に照射される紫外線によって硬化されてなるものとされる。
【００３１】  より詳しくは、蛍光体含有部２９に含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピーク波長が緑色の光の波長範囲の中の約５３０ｎｍとされ且つ半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピーク波長が赤色の光の波長範囲の中の約６１０ｎｍとされ且つ半値幅が４０ｎｍ未満とされる発光スペクトルを有する。
【００３２】  このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００３３】  蛍光体含有部２９は、図７及び図８に示すように、容器３０の内部空間に密封されており、Ｘ軸方向及びＺ軸方向に沿う面を有している。蛍光体含有部２９は、その形成範囲が、Ｘ軸方向についてＬＥＤ基板１８におけるＬＥＤ１７の実装範囲の大部分に対して重畳するとともに、Ｚ軸方向についてＬＥＤ１７の発光面１７ａの全域に対して重畳するよう設定されている。蛍光体含有部２９は、その厚さ寸法（Ｙ軸方向についての寸法）が、次述する容器３０の厚さ寸法よりも小さくて具体的には約０．５ｍｍ程度とされる。蛍光体含有部２９は、Ｘ軸方向及びＺ軸方向に沿う表裏の両面が共にフラットな面とされ、ＬＥＤ１７の発光面１７ａ及び導光板１９の入光端面１９ｂにそれぞれ並行している。
【００３４】  容器３０は、ほぼ透明で透光性に優れた無機ガラス材料（例えば無アルカリガラスや石英ガラスなど）からなり、その屈折率は、例えば約１．５程度とされる。容器３０は、図７及び図８に示すように、蛍光体含有部２９をその全長にわたって取り囲んでおり、Ｘ軸方向に沿って延在する略筒状をなすとともにその長さ方向（延在方向）と直交する形で切断した断面形状が縦長な略長円形状をなしている。容器３０における長さ方向に沿った両外面が、既述した入光面２０ａ及び出光面２０ｂを構成している。容器３０は、その厚さ寸法が、上記した蛍光体含有部２９の厚さ寸法よりも大きくて具体的には約１ｍｍ程度ずつとされる。容器３０は、その長さ方向の両端側部分がそれぞれ封止部３１により封止されている。封止部３１は、容器３０における長さ方向についての両端側部分をそれぞれ封止する形で一対設けられている。封止部３１は、容器３０と同一の無機ガラス材料からなるものとされているので、容器３０の両端側部分を高い密閉性でもって封止することができる。封止部３１におけるＸ軸方向についての寸法は、ＬＥＤ１７におけるＸ軸方向についての寸法よりも小さいか同じ程度とされており、具体的には例えば５ｍｍ程度とされる。
【００３５】  上記のような構成の波長変換部２０は、長さ方向についての両端側部分２０ＥＰが封止部３１により封止されているため、封止部３１が配された両端縁には、封止部３１におけるＸ軸方向についての寸法分だけ蛍光体が配置されることがないものとされる。ここで、液晶表示装置１０及びバックライト装置１２の狭額縁化が進行すると、波長変換部２０における蛍光体が配置されない領域（封止部３１）がＬＥＤ１７とＸ軸方向について重なり合う位置関係となり易く、それに起因してＬＥＤ１７からの青色の光が蛍光体により波長変換されずに導光板１９の入光端面１９ｂにおける長さ方向の端側部分に入射し、導光板１９におけるＸ軸方向についての端側部分から出射する光が青色味を帯びたものとなる、といった色ムラを発生させる事態が懸念されていた。
【００３６】  そこで、本実施形態に係る波長変換部２０は、図９に示すように、入光端面１９ｂの長さ方向についての一対の端側部分２０ＥＰが、それぞれ中央側部分２０ＣＰよりも長さ方向についての単位長さ当たりの波長変換される光量（蛍光体の含有量）が多い多発光量部３２とされている。このようにすれば、波長変換部２０における長さ方向の端縁に蛍光体が配置されない領域（封止部３１）が生じ、その領域がＬＥＤ１７と重なり合うような位置関係になっても、多発光量部３２によってＬＥＤ１７の青色の光が緑色の光及び赤色の光へと効率的に波長変換されるようになっている。これにより、導光板１９の入光端面１９ｂにおける長さ方向の端側部分に入射される光の色味が青色味を帯び難いものとなるので、入光端面１９ｂにおける長さ方向の中央側部分に入射される光との間に色味の差が生じ難くなる。もって、狭額縁化が進行しても出光板面１９ａから出射される光に色ムラが発生し難いものとなる。
【００３７】  波長変換部２０は、図９に示すように、多発光量部３２が中央側部分２０ＣＰよりも蛍光体の含有濃度（配合比率）が高くなるよう構成されている。詳しくは、波長変換部２０を構成する蛍光体含有部２９は、中央側部分２０ＣＰに配される第１蛍光体含有部２９ａと、多発光量部３２である一対の端側部分２０ＥＰに配されて赤色蛍光体及び緑色蛍光体（量子ドット蛍光体）の含有濃度が第１蛍光体含有部２９ａよりも高い一対の第２蛍光体含有部２９ｂと、から構成されている。その上で、波長変換部２０は、容器３０及び蛍光体含有部２９の太さが均一化されており、それぞれの径寸法がＸ軸方向についてほぼ全長にわたってほぼ一定とされている。従って、中央側部分２０ＣＰの第１蛍光体含有部２９ａは、図１０に示すように、Ｘ軸方向についての単位長さ当たりの量子ドット蛍光体の含有量が相対的に少なくなることで波長変換される光量が相対的に少なくなり、多発光量部３２である両端側部分２０ＥＰの第２蛍光体含有部２９ｂは、同単位長さ当たりの赤色蛍光体及び緑色蛍光体の含有量が相対的に多くなることで波長変換される光量が相対的に多くなっている。また、本実施形態では、封止部３１の一部（内端側部分）と第２蛍光体含有部２９ｂの全域とが、ＬＥＤ基板１８においてＸ軸方向について端に位置するＬＥＤ１７の大部分に対してＸ軸方向について重なり合う位置関係とされる。このような構成によれば、多発光量部３２である両端側部分２０ＥＰに向かうＬＥＤ１７の光が効率的に波長変換され、もって色ムラの発生を好適に抑制することができる。また、波長変換部２０の太さが均一化されることで、波長変換部２０と、ＬＥＤ１７及び導光板１９の入光端面１９ｂと、の間の距離がそれぞれ長さ方向について一定に保たれる。これにより、ＬＥＤ１７から波長変換部２０の入光面２０ａへの光の入射効率、及び波長変換部２０の出光面２０ｂから導光板１９の入光端面１９ｂへの光の入射効率が安定したものとなる。また、容器３０として均一な太さのものを製造すればよいから、波長変換部２０に係る製造コストを低廉化する上でも好適となる。
【００３８】  なお、図９では、波長変換部２０（蛍光体含有部２９）におけるＸ軸方向についての単位長さ当たりの蛍光体（赤色蛍光体及び緑色蛍光体）の含有量をドットの密度によって表しており、ドットの密度が高いほど単位長さ当たりの蛍光体の含有量が多くなって波長変換される光量が多くなり、逆にドットの密度が低いほど単位長さ当たりの蛍光体の含有量が少なくなって波長変換される光量が少ないものとなる。また、図１０は、波長変換部２０（蛍光体含有部２９）におけるＸ軸方向についての単位長さ当たりの波長変換される光（赤色の光及び緑色の光）の光量（蛍光体（赤色蛍光体及び緑色蛍光体）の含有量）に関して、Ｘ軸方向に沿って波長変換部２０におけるＸ１端からＸ２端に至るまでの分布を表すグラフである。
【００３９】  本実施形態は以上のような構造であり、続いてその作用を説明する。まず、波長変換部２０の製造方法について説明する。波長変換部２０の製造方法は、容器３０を製造する容器製造工程と、第１蛍光体含有部２９ａとなる第１蛍光体溶液を容器３０内に開口を通して注入する第１蛍光体溶液注入工程と、第１蛍光体溶液を光硬化させる第１蛍光体溶液硬化工程と、第２蛍光体含有部２９ｂとなる第２蛍光体溶液を容器３０内に開口を通して注入する第２蛍光体溶液注入工程と、第２蛍光体溶液を光硬化させる第２蛍光体溶液硬化工程と、容器３０における両端側部分の両開口をそれぞれ封止する封止工程と、を備える。以下、各工程について詳しく説明する。
【００４０】  容器製造工程では、図１１に示すように、無機ガラス材料を用いて中空の略筒状をなす容器３０を、その長さ方向について両端側部分が開口した状態で製造している。第１蛍光体溶液注入工程では、光硬化性樹脂材料に赤色蛍光体及び緑色蛍光体を含有してなる第１蛍光体溶液を、容器３０におけるいずれか一方の開口を通して容器３０内に注入し、図１２に示すように、容器３０における長さ方向についての中央側部分に選択的に配する。このとき、容器３０における長さ方向についての両端側部分には第１蛍光体溶液が殆ど存在しないものとされる。この容器３０内に注入される第１蛍光体溶液は、単位体積当たりの赤色蛍光体及び緑色蛍光体の含有量が、後述する第２蛍光体溶液に比べると、相対的に少ないものとされる。第１蛍光体溶液硬化工程では、容器３０内に注入された第１蛍光体溶液に紫外線を照射して硬化させる。これにより、第１蛍光体含有部２９ａが形成されるとともに、第１蛍光体含有部２９ａが容器３０における長さ方向についての中央側部分に固定化される。
【００４１】  第２蛍光体溶液注入工程では、図１３に示すように、光硬化性樹脂材料に赤色蛍光体及び緑色蛍光体を含有してなる第２蛍光体溶液を容器３０の両開口を通して容器３０内にそれぞれ注入する。この容器３０内に注入される第２蛍光体溶液は、単位体積当たりの赤色蛍光体及び緑色蛍光体の含有量が、後述する第１蛍光体溶液に比べると、相対的に多いものとされる。ここで、容器３０のうち長さ方向についての中央側部分には、先行して第１蛍光体溶液が注入されてその硬化が図られることで第１蛍光体含有部２９ａが形成されているので、第２蛍光体溶液注入工程にて注入される第２蛍光体溶液は、第１蛍光体溶液と混ざり合うことがなく、容器３０のうち長さ方向についての両端側部分にそれぞれ配される。第２蛍光体溶液硬化工程では、容器３０内に注入された第２蛍光体溶液に紫外線を照射して硬化させる。これにより、第２蛍光体含有部２９ｂが形成されるとともに、第２蛍光体含有部２９ｂが容器３０における長さ方向についての両端側部分にそれぞれ固定化される。その後、封止工程を行い、図１４に示すように、容器３０における両端側部分の両開口をそれぞれ封止すべく一対の封止部３１を形成する。この封止に際しては、容器３０と同一の無機ガラス材料からなる各封止部３１と容器３０の両端側部分とが加熱によって溶け合って相互に接合されるので、高い密閉性でもって容器３０の封止が図られる。これにより、容器３０内に蛍光体含有部２９が封止されてなる波長変換部２０が製造される。このようにして製造された波長変換部２０は、液晶表示装置１０を構成するバックライト装置１２内に組み込まれて使用される。
【００４２】  続いて、液晶表示装置１０に係る作用について説明する。液晶表示装置１０の電源をＯＮすると、図示しないコントロール基板のパネル制御回路により液晶パネル１１の駆動が制御されるとともに、図示しないＬＥＤ駆動回路基板のＬＥＤ駆動回路からの駆動電力がＬＥＤ基板１８の各ＬＥＤ１７に供給されることでその駆動が制御される。各ＬＥＤ１７からの光は、導光板１９により導光されることで、光学部材１５を介して液晶パネル１１に照射され、もって液晶パネル１１に所定の画像が表示される。以下、バックライト装置１２に係る作用について詳しく説明する。
【００４３】  各ＬＥＤ１７を点灯させると、各ＬＥＤ１７の発光面１７ａから発せられた青色の光（一次光）は、図７及び図８に示すように、波長変換部２０の入光面２０ａに入射し、容器３０内の蛍光体含有部２９に含有される緑色蛍光体及び赤色蛍光体により緑色の光及び赤色の光（二次光）へと波長変換される。この波長変換された緑色の光及び赤色の光と、ＬＥＤ１７の青色の光と、によって、概ね白色の照明光が得られることになる。蛍光体含有部２９にて波長変換された緑色の光及び赤色の光と、蛍光体含有部２９にて波長変換されなかった青色の光と、は、波長変換部２０の出光面２０ｂから出射して導光板１９における入光端面１９ｂに入射する。入光端面１９ｂに入射した光は、導光板１９における外部の空気層との界面にて全反射されたり、反射シート２５により反射されるなどして導光板１９内を伝播されつつ、光反射パターンの光反射部にて散乱反射されることで、出光板面１９ａに対する入射角が臨界角を超えない光となって出光板面１９ａからの出射が促されるようになっている。導光板１９の出光板面１９ａを出射した光は、各光学部材１５を透過する過程でそれぞれ光学作用を付与された上で液晶パネル１１に対して照射される。
【００４４】  波長変換部２０に係る作用について詳しく説明する。図７及び図８に示すように、ＬＥＤ１７から発せられた青色の光（一次光）が波長変換部２０の入光面２０ａに入射すると、容器３０内に充填された蛍光体含有部２９に分散配合された緑色蛍光体及び赤色蛍光体では青色の光の一部が励起光として利用されて緑色蛍光体及び赤色蛍光体から緑色の光及び赤色の光（二次光）が発せられる。波長変換された緑色の光及び赤色の光と、未変換の青色の光と、は、波長変換部２０の出光面２０ｂから出射して導光板１９の入光端面１９ｂに入射されることになる。ここで、波長変換部２０における長さ方向の端縁には、封止部３１が存在するため、当該部位には緑色蛍光体及び赤色蛍光体が配置されることがないものとされる。液晶表示装置１０及びバックライト装置１２の狭額縁化が進行すると、波長変換部２０における緑色蛍光体及び赤色蛍光体が配置されない部位である封止部３１が、ＬＥＤ基板１８におけるＬＥＤ１７の並び方向（Ｘ軸方向）について端に位置するＬＥＤ１７と重なり合う位置関係となり易くなる。このような位置関係に起因してＬＥＤ１７からの光が緑色蛍光体及び赤色蛍光体により波長変換されずに導光板１９の入光端面１９ｂにおける長さ方向の端側部分に入射することが懸念されていた。
【００４５】  その点、本実施形態によれば、波長変換部２０は、Ｘ軸方向についての両端側部分２０ＥＰに、中央側部分２０ＣＰに配された第１蛍光体含有部２９ａ（第１蛍光体溶液）よりも緑色蛍光体及び赤色蛍光体の含有濃度が高い第２蛍光体含有部２９ｂ（第２蛍光体溶液）が配されているから、波長変換部２０における長さ方向の端縁に緑色蛍光体及び赤色蛍光体が配置されない部位である封止部３１が存在していてその封止部３１が並び方向の端に位置するＬＥＤ１７と重なり合うような位置関係になっても、第２蛍光体含有部２９ｂに含まれる緑色蛍光体及び赤色蛍光体によってＬＥＤ１７の光が効率的に波長変換されるようになっている。これにより、導光板１９の入光端面１９ｂにおける長さ方向の端側部分に入射される光が青色味を帯びる事態が生じ難いものとなるので、入光端面１９ｂにおける長さ方向の中央側部分に入射される光との間に色味の差が生じ難くなる。もって、狭額縁化が進行しても出光板面１９ａから出射される光に色ムラが発生し難いものとなる。また、ＬＥＤ１７に対して波長変換部２０が長さ方向について位置ずれした形で配された場合であっても、一対の多発光量部３２によって色ムラの発生が好適に抑制される。
【００４６】  以上説明したように本実施形態のバックライト装置（照明装置）１２は、ＬＥＤ（光源）１７と、外周端面の少なくとも一部であってＬＥＤ１７からの光が入射される入光端面１９ｂと一対の板面のいずれかであって光を出射させる出光板面１９ａとを有する導光板１９と、入光端面１９ｂの長さ方向に沿って延在するとともにＬＥＤ１７と入光端面１９ｂとの間に介在する形で配されてＬＥＤ１７からの光を波長変換する蛍光体を有する波長変換部２０であって、長さ方向についての少なくともいずれか一方の端側部分２０ＥＰが、中央側部分２０ＣＰよりも長さ方向についての単位長さ当たりの波長変換される光量が多い多発光量部３２とされる波長変換部２０と、を備える。
【００４７】  このようにすれば、ＬＥＤ１７から発せられた光は、ＬＥＤ１７と入光端面１９ｂとの間に介在する形で配される波長変換部２０に有される蛍光体にて波長変換されるなどしてから導光板１９の入光端面１９ｂに入射されて導光板１９内を伝播された後に出光板面１９ａから出射される。この波長変換部２０は、入光端面１９ｂの長さ方向に沿って延在しているが、その長さ方向の端縁には蛍光体が配置されない領域が生じるものとされる。ここで、当該バックライト装置１２の狭額縁化が進行すると、波長変換部２０における蛍光体が配置されない領域がＬＥＤ１７と重なり合う位置関係となり易く、それに起因してＬＥＤ１７からの光が蛍光体により波長変換されずに導光板１９の入光端面１９ｂにおける長さ方向の端側部分に入射することが懸念されていた。これに対し、波長変換部２０は、入光端面１９ｂの長さ方向についての少なくともいずれか一方の端側部分２０ＥＰが、中央側部分２０ＣＰよりも入光端面１９ｂの長さ方向についての単位長さ当たりの波長変換される光量が多い多発光量部３２とされているから、波長変換部２０における長さ方向の端縁に蛍光体が配置されない領域が生じ、その領域がＬＥＤ１７と重なり合うような位置関係になっても、多発光量部３２によってＬＥＤ１７の光が効率的に波長変換されるようになっている。これにより、導光板１９の入光端面１９ｂにおける長さ方向の端側部分に入射される光の色味と、入光端面１９ｂにおける長さ方向の中央側部分に入射される光の色味と、に差が生じ難くなるので、狭額縁化が進行しても出光板面１９ａから出射される光に色ムラが発生し難いものとなる。
【００４８】  また、波長変換部２０は、多発光量部３２が中央側部分２０ＣＰよりも蛍光体の含有濃度が高い。このようにすれば、多発光量部３２が中央側部分２０ＣＰよりも蛍光体の含有濃度が高くなることで波長変換される光量が相対的に多くなるので、多発光量部３２に向かうＬＥＤ１７の光が効率的に波長変換される。これにより、色ムラの発生を好適に抑制することができる。
【００４９】  また、波長変換部２０は、太さが均一化されている。このようにすれば、波長変換部２０と、ＬＥＤ１７及び導光板１９の入光端面１９ｂと、の間の距離がそれぞれ長さ方向について一定に保たれるので、ＬＥＤ１７から波長変換部２０への光の入射効率、及び波長変換部２０から導光板１９の入光端面１９ｂへの光の入射効率が安定したものとなる。また、波長変換部２０に係る製造コストを低廉化する上でも好適となる。
【００５０】  また、波長変換部２０は、長さ方向についての一対の端側部分２０ＥＰがそれぞれ多発光量部３２とされる。このようにすれば、波長変換部２０における長さ方向についての両端縁に蛍光体が配置されない領域が生じた場合であっても、一対の端側部分２０ＥＰがそれぞれ多発光量部３２とされることで色ムラの発生が好適に抑制される。また、ＬＥＤ１７に対して波長変換部２０が長さ方向について位置ずれした形で配された場合であっても、一対の多発光量部３２によって色ムラの発生が好適に抑制される。
【００５１】  また、ＬＥＤ１７は、青色の光を発するものとされており、波長変換部２０は、蛍光体として、青色の光を緑色の光に波長変換する緑色蛍光体及び青色の光を赤色の光に波長変換する赤色蛍光体を有する。このようにすれば、ＬＥＤ１７から発せられた青色の光は、波長変換部２０に含有される緑色蛍光体及び赤色蛍光体により緑色の光及び赤色の光に波長変換される。ここで、波長変換部２０における長さ方向の端縁に蛍光体が配置されない領域が生じ、その領域がＬＥＤ１７と重なり合うような位置関係になっても、ＬＥＤ１７の青色の光が多発光量部３２によって緑色の光及び赤色の光へと効率的に波長変換されるので、導光板１９の入光端面１９ｂにおける長さ方向の端側部分に入射される光が青色味を帯び難いものとなる。これにより、色ムラの発生が抑制される。
【００５２】  また、波長変換部２０は、蛍光体として量子ドット蛍光体を含有している。このようにすれば、波長変換部２０による光の波長変換効率がより高いものとなるとともに、波長変換された光の色純度が高いものとなる。
【００５３】  本実施形態に係る波長変換部２０の製造方法は、ＬＥＤ１７と導光板１９のうちＬＥＤ１７からの光が入射される入光端面１９ｂとの間に介在する形で配されてＬＥＤ１７からの光を波長変換する蛍光体を有する波長変換部２０の製造方法であって、入光端面１９ｂの長さ方向に沿って延在する容器３０を、長さ方向について少なくともいずれか一方の端側部分が開口した状態で製造する容器製造工程と、光硬化性樹脂材料に蛍光体を含有してなる第１蛍光体溶液を容器３０内に開口を通して注入して容器３０のうち少なくとも長さ方向についての中央側部分に配する第１蛍光体溶液注入工程と、容器３０内に注入した第１蛍光体溶液に硬化のための光を照射する第１蛍光体溶液硬化工程と、第１蛍光体溶液よりも蛍光体の含有濃度が高い第２蛍光体溶液を容器３０内に開口を通して注入して容器３０のうち長さ方向についての少なくともいずれか一方の端側部分に配する第２蛍光体溶液注入工程と、容器３０内に注入した第２蛍光体溶液に硬化のための光を照射する第２蛍光体溶液硬化工程と、容器３０における開口を封止する。
【００５４】  まず、容器製造工程を経て製造された容器３０内には、第１蛍光体溶液注入工程において光硬化性樹脂材料に蛍光体を含有してなる第１蛍光体溶液が開口を通して注入される。このとき注入される第１蛍光体溶液は、容器３０のうち少なくとも長さ方向についての中央側部分に配される。この状態で第１蛍光体溶液硬化工程が行われることで、第１蛍光体溶液が光硬化される。続いて、第２蛍光体溶液注入工程では、容器３０内には、第１蛍光体溶液よりも蛍光体の含有濃度が高い第２蛍光体溶液が開口を通して注入される。容器３０のうち少なくとも長さ方向についての中央側部分には、先行して第１蛍光体溶液が注入されてその硬化が図られているので、第２蛍光体溶液注入工程にて注入される第２蛍光体溶液は、第１蛍光体溶液と混ざり合うことなく、容器３０のうち長さ方向についての少なくともいずれか一方の端側部分に配される。この状態で第２蛍光体溶液硬化工程が行われることで、第２蛍光体溶液が光硬化される。そして、封止工程では容器３０における開口が封止される。
【００５５】  このようにして製造された波長変換部２０は、ＬＥＤ１７と入光端面１９ｂとの間に介在する形で配されることで、ＬＥＤ１７から発せられた光を蛍光体によって波長変換した上で入光端面１９ｂに導入することができる。ここで、波長変換部２０における長さ方向の端縁には蛍光体が配置されない領域が生じるものとされ、当該バックライト装置１２の狭額縁化が進行すると、波長変換部２０における蛍光体が配置されない領域がＬＥＤ１７と重なり合う位置関係となり易く、それに起因してＬＥＤ１７からの光が蛍光体により波長変換されずに導光板１９の入光端面１９ｂにおける長さ方向の端側部分に入射することが懸念されていた。これに対し、波長変換部２０は、入光端面１９ｂの長さ方向についての少なくともいずれか一方の端側部分２０ＥＰに、中央側部分２０ＣＰに配された第１蛍光体溶液よりも蛍光体の含有濃度が高い第２蛍光体溶液が配されているから、波長変換部２０における長さ方向の端縁に蛍光体が配置されない領域が生じ、その領域がＬＥＤ１７と重なり合うような位置関係になっても、第２蛍光体溶液に含まれる蛍光体によってＬＥＤ１７の光が効率的に波長変換されるようになっている。これにより、導光板１９の入光端面１９ｂにおける長さ方向の端側部分に入射される光の色味と、入光端面１９ｂにおける長さ方向の中央側部分に入射される光の色味と、に差が生じ難くなるので、狭額縁化が進行しても色ムラが発生し難いものとなる。
【００５６】  ＜実施形態２＞  本発明の実施形態２を図１５から図１８によって説明する。この実施形態２では、波長変換部１２０の構造を変更したものを示す。なお、上記した実施形態１と同様の構造、作用及び効果について重複する説明は省略する。
【００５７】  本実施形態に係る波長変換部１２０は、図１５に示すように、多発光量部１３２が中央側部分１２０ＣＰよりも太くなるよう構成されている。詳しくは、波長変換部１２０を構成する容器１３０は、両端側部分が中央側部分よりも径寸法が大きなものとされており、それにより両端側部分の内部空間が、中央側部分の同内部空間よりも広くなっている。従って、容器１３０内に充填される蛍光体含有部１２９は、多発光量部１３２である端側部分１２０ＥＰにおける単位長さ当たりの容積が、中央側部分１２０ＣＰにおける同容積よりも多くなっている。そして、本実施形態では、蛍光体含有部１２９における蛍光体の含有濃度が全域にわたってほぼ一定になるよう均一化されているので、第２蛍光体含有部１２９ｂにおける単位長さ当たりの蛍光体の含有量及び波長変換される光量が、第１蛍光体含有部１２９ａにおける単位長さ当たりの蛍光体の含有量及び波長変換される光量よりも多くなっている。これにより、ＬＥＤ１１７から多発光量部１３２へ向かう青色の光が効率的に波長変換されて色ムラの発生が好適に抑制されるようになっている。
【００５８】  上記のような構成の波長変換部１２０の製造方法は、容器１３０を製造する容器製造工程と、容器１３０内に開口を通して蛍光体溶液を注入する蛍光体溶液注入工程と、注入した蛍光体溶液を硬化させる蛍光体溶液硬化工程と、容器における開口を封止する封止工程と、を備える。容器製造工程では、図１６に示すように、両端側部分が中央側部分よりも太い容器１３０を製造している。蛍光体溶液注入工程では、光硬化性樹脂材料に赤色蛍光体及び緑色蛍光体を含有してなる蛍光体溶液を、容器１３０におけるいずれか一方の開口を通して容器１３０内に注入する。このとき、図１７に示すように、蛍光体溶液を、容器１３０のほぼ全長にわたって注入し、容器１３０の中央側部分及び両端側部分に蛍光体溶液を配する。蛍光体溶液硬化工程では、容器１３０内に注入した蛍光体溶液に紫外線を照射してその硬化を促す。封止工程では、容器１３０における両端側部分に封止部１３１をそれぞれ形成し、両開口の封止を図る。以上のように、本実施形態の波長変換部１２０の製造方法によれば、蛍光体注入工程及び蛍光体硬化工程が１回ずつで済むので、製造に係る時間を短縮化し易くなるとともに、容器１３０内に注入する蛍光体溶液も１種類で済むので、製造に係るコストが低廉化される。
【００５９】  以上説明したように本実施形態によれば、波長変換部１２０は、多発光量部１３２が中央側部分１２０ＣＰよりも太い。このように、多発光量部１３２が中央側部分１２０ＣＰよりも太くなることで波長変換される光量が相対的に多くなるので、多発光量部１３２に向かうＬＥＤ１１７の光が効率的に波長変換される。これにより、色ムラの発生を好適に抑制することができる。
【００６０】  また、波長変換部１２０は、蛍光体の含有濃度が均一化されている。このようにすれば、波長変換部１２０に係る製造コストを低廉化する上で好適となる。
【００６１】  ＜実施形態３＞  本発明の実施形態３を図１９から図２４によって説明する。この実施形態３では、上記した実施形態１から波長変換部２２０の構造を変更したものを示す。なお、上記した実施形態１と同様の構造、作用及び効果について重複する説明は省略する。
【００６２】  本実施形態に係る波長変換部２２０は、図１９に示すように、一方の端側部分２２０ＥＰのみに封止部２３１が設けられる片側封止構造とされていて、その封止部２３１が設けられた側の端側部分２２０ＥＰが多発光量部２３２とされている。詳しくは、波長変換部２２０を構成する容器２３０は、製造過程において蛍光体含有部２２９が形成される前の段階では、一方の端側部分２２０ＥＰが外部に開口しているのに対し、他方の端側部分２２０ＥＰが閉塞した状態とされている（図２１を参照）。
【００６３】  このような構成の波長変換部２２０では、図１９に示すように、長さ方向についての一方の端側部分２２０ＥＰが封止部２３１により封止されているため、封止部２３１が配された端縁には、封止部２３１におけるＸ軸方向についての寸法分だけ蛍光体が配置されることがないものとされる。つまり、片側封止構造とされる波長変換部２２０では、封止部２３１が配された一方の端縁における蛍光体が配置されない領域の広さ（Ｘ軸方向についての寸法）が、封止部２３１が配されない他方の端縁における蛍光体が配置されない領域の広さよりも広くなっていた。そこで、本実施形態の波長変換部２２０は、蛍光体が配置されない領域が相対的に広い一方の端側部分２２０ＥＰが選択的に多発光量部２３２とされている。このようにすれば、多発光量部２３２とされる封止部２３１が設けられた側の端側部分２２０ＥＰを透過して導光板２１９の入光端面２１９ｂに達する光と、中央側部分２２０ＣＰを透過して入光端面２１９ｂに達する光と、封止部２３１が設けられない側の端側部分２２０ＥＰを透過して入光端面２１９ｂに達する光と、に色味の差が生じ難くなる。これにより、色ムラの発生がより好適に抑制される。
【００６４】  波長変換部２２０を構成する蛍光体含有部２２９は、図１９に示すように、中央側部分２２０ＣＰ及び他方の端側部分２２０ＥＰに配される第１蛍光体含有部２２９ａと、多発光量部２３２である一方の端側部分２２０ＥＰに配されて蛍光体（赤色蛍光体及び緑色蛍光体）の含有濃度が第１蛍光体含有部２２９ａよりも高い第２蛍光体含有部２２９ｂと、から構成されている。つまり、この波長変換部２２０は、図２０に示すように、封止部２３１が設けられない側の端側部分２２０ＥＰと中央側部分２２０ＣＰとが、Ｘ軸方向についての単位長さ当たりの蛍光体の含有量及び波長変換される光量が等しくなるよう構成されている。このようにすれば、第２蛍光体含有部２２９ｂが１箇所のみとなるので、波長変換部２２０に係る製造コストを低廉化する上で好適となる。
【００６５】  上記のような構成の波長変換部２２０の製造方法は、以下のようにして行われる。容器製造工程では、図２１に示すように、一方の端側部分が開口し、他方の端側部分が閉塞した有底筒状の容器２３０を製造する。続いて、第１蛍光体溶液注入工程では、容器２３０における一方の端側部分の開口を通して第１蛍光体溶液を注入し、図２２に示すように、容器２３０における長さ方向についての中央側部分及び閉塞した他方の端側部分に選択的に配する。このとき、容器２３０における開口した一方の端側部分には、第１蛍光体溶液が殆ど存在しないものとされる。第１蛍光体溶液硬化工程では、容器２３０内に注入された第１蛍光体溶液に紫外線を照射して硬化させており、それにより第１蛍光体含有部２２９ａが容器２３０における長さ方向についての中央側部分及び他方の端側部分に固定化される。第２蛍光体溶液注入工程では、図２３に示すように、第２蛍光体溶液を容器２３０における一方の端側部分の開口を通して容器２３０内に注入する。ここで、容器２３０のうち長さ方向についての中央側部分及び他方の端側部分には、先行して第１蛍光体溶液が注入されてその硬化が図られることで第１蛍光体含有部２２９ａが形成されているので、第２蛍光体溶液注入工程にて注入される第２蛍光体溶液は、第１蛍光体溶液と混ざり合うことがなく、容器２３０のうち長さ方向についての一方の端側部分に配される。第２蛍光体溶液硬化工程では、容器２３０内に注入された第２蛍光体溶液に紫外線を照射して硬化させており、それにより第２蛍光体含有部２２９ｂが容器２３０における長さ方向についての一方の端側部分に固定化される。その後、封止工程が行われると、図２４に示すように、容器２３０における一方の端側部分の開口が封止部２３１により封止される。これにより、容器２３０内に蛍光体含有部２２９が封止されてなる波長変換部２２０が製造される。
【００６６】  以上説明したように本実施形態によれば、波長変換部２２０は、長さ方向についての一対の端側部分２２０ＥＰのうち片方の端側部分２２０ＥＰに封止部２３１が設けられていて、封止部２３１が設けられた側の端側部分２２０ＥＰが多発光量部２３２とされる。このように、波長変換部２２０における長さ方向についての一対の端側部分２２０ＥＰのうち片方の端側部分２２０ＥＰには、封止部２３１が設けられるため、蛍光体が配置されない範囲が、封止部２３１が設けられない側の端側部分２２０ＥＰよりも広くなり易い傾向にある。その点、封止部２３１が設けられた側の端側部分２２０ＥＰが多発光量部２３２とされているので、同端側部分２２０ＥＰを透過して入光端面２１９ｂに達する光と、中央側部分２２０ＣＰを透過して入光端面２１９ｂに達する光と、封止部２３１が設けられない側の端側部分２２０ＥＰを透過して入光端面２１９ｂに達する光と、に色味の差が生じ難くなる。これにより、色ムラの発生がより好適に抑制される。
【００６７】  また、波長変換部２２０は、封止部２３１が設けられない側の端側部分２２０ＥＰと中央側部分２２０ＣＰとが、長さ方向についての単位長さ当たりの波長変換される光量が等しい。このようにすれば、波長変換部２２０に係る製造コストを低廉化する上で好適となる。
【００６８】  ＜実施形態４＞  本発明の実施形態４を図２５または図２６によって説明する。この実施形態４では、上記した実施形態３から波長変換部３２０の構造を変更したものを示す。なお、上記した実施形態３と同様の構造、作用及び効果について重複する説明は省略する。
【００６９】  本実施形態に係る波長変換部３２０は、図２５に示すように、片側封止構造とされていて、長さ方向についての他方の端側部分３２０ＥＰ、つまり封止部３３１側とは反対側の端側部分３２０ＥＰが中央側部分３２０ＣＰ及び一方の端側部分３２０ＥＰよりも相対的に太くなるよう形成されている。詳しくは、波長変換部３２０を構成する容器３３０は、他方の端側部分が中央側部分及び一方の端側部分よりも径寸法が大きなものとされており、それにより他方の端側部分の内部空間が、中央側部分及び一方の端側部分の同内部空間よりも広くなっている。従って、容器３３０内に充填される蛍光体含有部３２９は、他方の端側部分３２０ＥＰにおける単位長さ当たりの容積が、中央側部分３２０ＣＰ及び一方の端側部分における同容積よりも多くなっている。
【００７０】  そして、本実施形態では、蛍光体含有部３２９における蛍光体の含有濃度が、他方の端側部分３２０ＥＰと中央側部分３２０ＣＰとでほぼ一定になるよう均一化されているので、図２６に示すように、他方の端側部分３２０ＥＰに単位長さ当たりの蛍光体の含有量及び波長変換される光量が相対的に多い第２蛍光体含有部３２９ｂが配されるのに対し、中央側部分３２０ＣＰに単位長さ当たりの蛍光体の含有量及び波長変換される光量が相対的に少ない第１蛍光体含有部３２９ａが配されることになる。つまり、他方の端側部分３２０ＥＰが多発光量部３３２とされている。ここで、他方の端側部分３２０ＥＰは、容器３３０における封止部３３１と反対側の底部を有しており、この底部が、蛍光体が配置されない領域となるものの、他方の端側部分３２０ＥＰに蛍光体の含有量及び波長変換される光量が相対的に多い第２蛍光体含有部３２９ｂが有されることで、他方の端側部分３２０ＥＰにおいて色ムラが発生し難いものとなっている。さらには、本実施形態では、両端側部分３２０ＥＰの第２蛍光体含有部３２９ｂにおける単位長さ当たりの蛍光体の含有量及び波長変換される光量が異なっており、一方の端側部分３２０ＥＰの第２蛍光体含有部３２９ｂにおける同蛍光体の含有量及び波長変換される光量が、他方の端側部分３２０ＥＰの第２蛍光体含有部３２９ｂにおける同蛍光体の含有量及び波長変換される光量よりも多くなっている。他方の端側部分３２０ＥＰは、容器３３０の底部を有しているものの、そのＸ軸方向についての領域は、封止部３３１におけるＸ軸方向についての領域よりも狭いものとなっている。つまり、一方の端側部分３２０ＥＰ及び他方の端側部分３２０ＥＰは、単位長さ当たりの蛍光体の含有量及び波長変換される光量が、蛍光体が配置されない領域の広さに比例するような設定されているので、両端側部分３２０ＥＰの間で色味に差が生じ難いものとなっている。
【００７１】  ＜実施形態５＞  本発明の実施形態５を図２７によって説明する。この実施形態５では、上記した実施形態１から波長変換部４２０の設置数を変更したものを示す。なお、上記した実施形態１と同様の構造、作用及び効果について重複する説明は省略する。
【００７２】  本実施形態に係る波長変換部４２０は、図２７に示すように、導光板４１９の入光端面４１９ｂの長さ方向に沿って２本が互いに隣り合う形で並んで配されている。２本の波長変換部４２０は、互いの軸線がほぼ一致する形で、ＬＥＤ４１７と導光板４１９との間の空間にてＸ軸方向に沿って直線的に並んで配置されている。２本の波長変換部４２０における互いに隣り合うことがない一対の端側部分４２０ＥＰは、バックライト装置４１２におけるＸ軸方向（入光端面４１９ｂにおける長さ方向）についての両外側（両端）に位置するのに対し、２本の波長変換部４２０における互いに隣り合う一対の端側部分４２０ＥＰは、バックライト装置４１２におけるＸ軸方向についての中央側に位置している。このように２本の波長変換部４２０を用いるようにすれば、より大型のバックライト装置４１２に好適とされる。
【００７３】  そして、Ｘ軸方向に沿って並ぶ２本の波長変換部４２０は、互いに隣り合うことがない一対の端側部分４２０ＥＰがそれぞれ多発光量部４３２とされるのに加えて、互いに隣り合う一対の端側部分４２０ＥＰもそれぞれ多発光量部４３２とされている。これにより、バックライト装置４１２の狭額縁化に伴って導光板４１９の入光端面４１９ｂにおける長さ方向（Ｘ軸方向）についての両端側において、それぞれ波長変換部４２０における蛍光体が配置されない領域がＬＥＤ４１７と重なり合う位置関係となっても、一対の多発光量部４３２によってＬＥＤ４１７の光が効率的に波長変換される。これにより、狭額縁化が進行しても色ムラが生じ難いものとなっている。また、ＬＥＤ４１７に対して２本の波長変換部４２０が長さ方向について位置ずれした形で配された場合であっても、互いに隣り合わない一対の端側部分４２０ＥＰが多発光量部４３２とされることで色ムラの発生が好適に抑制される。
【００７４】  また、Ｘ軸方向に沿って並ぶ２本の波長変換部４２０における互いに隣り合う一対の端側部分４２０ＥＰにおけるＸ軸方向についての単位長さ当たりの蛍光体の含有量及び波長変換される光量は、互いに隣り合うことがない一対の端側部分４２０ＥＰにおけるＸ軸方向についての単位長さ当たりの蛍光体の含有量及び波長変換される光量よりも相対的に多いものとされる。互いに隣り合う一対の端側部分４２０ＥＰは、導光板４１９の入光端面４１９ｂにおける長さ方向についての中央側に並んで配されるため、蛍光体が配置されない領域が２つの封止部４３１分と広くなっているものの、上記のように単位長さ当たりの蛍光体の含有量及び波長変換される光量が相対的に多くされることで、入光端面４１９ｂにおける長さ方向の中央側において色ムラの発生が好適に抑制される。
【００７５】  以上説明したように本実施形態によれば、波長変換部４２０は、長さ方向に沿って複数が並んで配されていて、長さ方向についての各端側部分４２０ＥＰのうち、少なくとも互いに隣り合うことがない一対の端側部分４２０ＥＰがそれぞれ多発光量部４３２とされる。当該バックライト装置４１２の狭額縁化が進行すると、導光板４１９の入光端面４１９ｂにおける長さ方向についての両端側において、それぞれ波長変換部４２０における蛍光体が配置されない領域がＬＥＤ４１７と重なり合う位置関係となり易い。その点、複数の波長変換部４２０における長さ方向についての各端側部分４２０ＥＰのうち、互いに隣り合うことがない一対の端側部分４２０ＥＰがそれぞれ多発光量部４３２とされているので、導光板４１９の入光端面４１９ｂにおける長さ方向についての両端側において、それぞれ波長変換部４２０における蛍光体が配置されない領域がＬＥＤ４１７と重なり合う位置関係となっても、一対の多発光量部４３２によってＬＥＤ４１７の光が効率的に波長変換される。これにより、狭額縁化が進行しても色ムラが生じ難いものとなっている。
【００７６】  ＜実施形態６＞  本発明の実施形態６を図２８によって説明する。この実施形態６では、上記した実施形態３から波長変換部５２０の設置数を実施形態５と同様に変更したものを示す。なお、上記した実施形態３，５と同様の構造、作用及び効果について重複する説明は省略する。
【００７７】  本実施形態に係る波長変換部５２０は、図２８に示すように、導光板５１９の入光端面５１９ｂの長さ方向に沿って２本が互いに隣り合う形で並んで配されている。２本の波長変換部５２０は、互いに隣り合うことがない一対の端側部分５２０ＥＰがそれぞれ多発光量部５３２とされるのに対し、互いに隣り合う一対の端側部分５２０ＥＰが多発光量部５３２とはされていない。つまり、互いに隣り合う一対の端側部分５２０ＥＰは、Ｘ軸方向についての単位長さ当たりの蛍光体の含有量及び波長変換される光量が、中央側部分５２０ＣＰにおける同蛍光体の含有量及び波長変換される光量とほぼ等しくなっている。このように、２本の波長変換部５２０は、封止部５３１が設けられて多発光量部５３２とされた一方の端側部分５２０ＥＰが、導光板５１９の入光端面５１９ｂにおける長さ方向（Ｘ軸方向）についての両外側（両端）に位置し、封止部５３１が設けられない他方の端側部分５２０ＥＰが入光端面５１９ｂにおける長さ方向についての中央側に位置するよう配されている。
【００７８】  ＜実施形態７＞  本発明の実施形態７を図２９によって説明する。この実施形態７では、上記した実施形態１から第２蛍光体含有部６２９ｂの形成範囲を変更したものを示す。なお、上記した実施形態１と同様の構造、作用及び効果について重複する説明は省略する。
【００７９】  本実施形態に係る多発光量部６３２に有される第２蛍光体含有部６２９ｂは、図２９に示すように、ＬＥＤ基板６１８においてＸ軸方向について端に位置するＬＥＤ６１７の一部に加えてそれに隣り合うＬＥＤ６１７の大部分に対してもＸ軸方向について重なり合う位置関係とされる。つまり、この第２蛍光体含有部６２９ｂは、複数のＬＥＤ６１７に跨る形でＸ軸方向について重なり合う配置とされている。このＬＥＤ６１７は、上記した実施形態１に記載したものよりも小型化が図られているため、ＬＥＤ基板６１８においてＸ軸方向について端に位置するＬＥＤ６１７の大部分が封止部６３１に対してＸ軸方向について重なり合う位置関係とされていることから、Ｘ軸方向について端から２番目のＬＥＤ６１７についても第２蛍光体含有部６２９ｂに対してＸ軸方向について重なり合うよう配置されている。これにより、色ムラの発生を好適に抑制することができる。
【００８０】  ＜実施形態８＞  本発明の実施形態８を図３０から図３２によって説明する。この実施形態８では、上記した実施形態１に記載したものに波長変換部７２０の保持構造を追加したものを示す。なお、上記した実施形態１と同様の構造、作用及び効果について重複する説明は省略する。
【００８１】  本実施形態に係る波長変換部７２０は、図３０に示すように、バックライト装置７１２内においてＬＥＤ７１７と導光板７１９の入光端面７１９ｂとの間となる位置にてホルダ３３によって保持されている。ホルダ３３は、光の反射性に優れた白色を呈する合成樹脂製とされており、波長変換部７２０をほぼ全長にわたって取り囲む形で収容するよう略筒状をなしている。ホルダ３３は、波長変換部７２０をＺ軸方向について図３０に示す上下から挟み込む一対の第１壁部３３ａと、波長変換部７２０をＹ軸方向について図３０に示す左右（前後）から挟み込む一対の第２壁部３３ｂと、を有しており、これらの各壁部３３ａ，３３ｂによって波長変換部７２０をほぼ全長にわたって取り囲んで保持を図っている。
【００８２】  ホルダ３３を構成する一対の第２壁部３３ｂのうち、図３０に示す左側（ＬＥＤ基板７１８側）の第２壁部３３ｂには、図３０及び図３１に示すように、ＬＥＤ７１７を収容するＬＥＤ収容開口部３４が開口して設けられている。ＬＥＤ収容開口部３４は、ＬＥＤ基板７１８に実装された各ＬＥＤ７１７を個別に収容するよう、相互に独立した開口として第２壁部３３ｂに複数設けられている。ＬＥＤ収容開口部３４は、第２壁部３３ｂにおいてＸ軸方向に沿って複数（ＬＥＤ７１７と同数）が並んで設けられており、その配列間隔がＬＥＤ基板７１８における各ＬＥＤ７１７の配列間隔と一致している。このＬＥＤ収容開口部３４が設けられた第２壁部３３ｂは、その外面がＬＥＤ基板７１８における実装面７１８ａに接する形で固定されている。ＬＥＤ収容開口部３４に収容されたＬＥＤ７１７は、その発光面７１７ａが波長変換部７２０の入光面７２０ａにほぼ接する位置関係に保たれている。これにより、ＬＥＤ７１７の発光面７１７ａから発せられた光が波長変換部７２０の入光面７２０ａにより効率的に入射されるようになっている。
【００８３】  一方、ホルダ３３を構成する一対の第２壁部３３ｂのうち、図３０に示す右側（導光板７１９側）の第２壁部３３ｂには、図３０及び図３２に示すように、波長変換部７２０の出光面７２０ｂを出射した光を通して導光板７１９の入光端面７１９ｂに入射させるための透光開口部３５が開口して設けられている。透光開口部３５は、Ｘ軸方向に沿って延在する細長い開口として第２壁部３３ｂに設けられており、その形成範囲が全ＬＥＤ収容開口部３４の形成範囲を包含する大きさに設定されている。これにより、各ＬＥＤ７１７から発せられて波長変換部７２０を透過した光を効率的に導光板７１９の入光端面７１９ｂに入射させることができる。この透光開口部３５が設けられた第２壁部３３ｂは、その外面がＹ軸方向について導光板７１９の入光端面７１９ｂとの間に所定の間隔を空けて対向状に配置されている。従って、バックライト装置７１２内の温度環境が高温化し、それに伴って導光板７１９が熱膨張した場合には、熱膨張した導光板７１９が波長変換部７２０に干渉する手前の段階で透光開口部３５が設けられた第２壁部３３ｂに干渉することになる。つまり、透光開口部３５が設けられた第２壁部３３ｂによって熱膨張する導光板７１９の変位を規制することができるので、波長変換部７２０及びＬＥＤ７１７に導光板７１９からの応力が直接的に作用するのを防ぐことができる。
【００８４】  ＜実施形態９＞  本発明の実施形態９を図３３によって説明する。この実施形態９では、上記した実施形態１からＬＥＤ基板８１８及び波長変換部８２０の設置数を変更したものを示す。なお、上記した実施形態１と同様の構造、作用及び効果について重複する説明は省略する。
【００８５】  本実施形態に係るバックライト装置８１２では、図３３に示すように、ＬＥＤ８１７及びＬＥＤ基板８１８が、長辺側の両端部にそれぞれ配された構成となっている。詳しくは、一対のＬＥＤ基板８１８は、実装された各ＬＥＤ８１７が導光板８１９の外周端面のうちの一対の長辺側の端面のそれぞれと対向する形で配されている。従って、本実施形態では、導光板８１９の外周端面のうちの一対の長辺側の端面のそれぞれがＬＥＤ８１７からの光が入射される入光端面８１９ｂとされるのに対し、残りの一対の短辺側の端面が非入光端面８１９ｄとされる。従って、本実施形態に係る非入光端面８１９ｄには、上記した実施形態１のような非入光反対端面１９ｄ１（図３を参照）が含まれることがなく、入光端面８１９ｂに隣り合う一対の非入光側端面８１９ｄ２のみが含まれている。このように本実施形態に係るバックライト装置８１２は、導光板８１９がその短辺方向（Ｙ軸方向）についての両側から一対のＬＥＤ基板８１８及びそれらに実装された各ＬＥＤ８１７によって挟み込まれてなる、両側入光タイプとされている。
【００８６】  そして、波長変換部８２０は、各ＬＥＤ基板８１８と各入光端面８１９ｂとの間にそれぞれ介在する形で一対が配置されている。これにより、各ＬＥＤ基板８１８の各ＬＥＤ８１７から発せられた光は、各波長変換部８２０にて波長変換されて導光板８１９の各入光端面８１９ｂに入射されるようになっている。
【００８７】  ＜実施形態１０＞  本発明の実施形態１０を図３４によって説明する。この実施形態１０では、上記した実施形態９からＬＥＤ基板９１８及び波長変換部９２０の設置数を変更したものを示す。なお、上記した実施形態９と同様の構造、作用及び効果について重複する説明は省略する。
【００８８】  本実施形態に係るバックライト装置９１２では、図３４に示すように、ＬＥＤ９１７及びＬＥＤ基板９１８が、長辺側の両端部と、一方（図３４に示す左側）の短辺側の端部と、にそれぞれ配された構成となっている。詳しくは、各ＬＥＤ基板９１８は、実装された各ＬＥＤ９１７が導光板９１９の外周端面のうちの一対の長辺側の端面及び一方の短辺側の端面のそれぞれと対向する形で配されている。従って、本実施形態では、導光板９１９の外周端面のうちの一対の長辺側の端面及び一方の短辺側の端面のそれぞれがＬＥＤ９１７からの光が入射される入光端面９１９ｂとされるのに対し、残りの他方の短辺側の端面が非入光端面９１９ｄとされる。従って、本実施形態に係る非入光端面９１９ｄは、短辺側の入光端面９１９ｂに対しては非入光反対端面９１９ｄ１となり且つ一対の長辺側の入光端面９１９ｂに対しては非入光側端面９１９ｄ２となっている。このように本実施形態に係るバックライト装置９１２は、導光板９１９がその３つの辺部に倣って配される３つのＬＥＤ基板９１８及びそれらに実装された各ＬＥＤ９１７から入光される、３辺入光タイプとされている。
【００８９】  そして、波長変換部９２０は、各ＬＥＤ基板９１８と各入光端面９１９ｂとの間にそれぞれ介在する形で３つが配置されている。これにより、各ＬＥＤ基板９１８の各ＬＥＤ９１７から発せられた光は、各波長変換部９２０にて波長変換されて導光板９１９の各入光端面９１９ｂに入射されるようになっている。
【００９０】  ＜実施形態１１＞  本発明の実施形態１１を図３５によって説明する。この実施形態１１では、上記した実施形態９からＬＥＤ基板１０１８及び波長変換部１０２０の設置数を変更したものを示す。なお、上記した実施形態９と同様の構造、作用及び効果について重複する説明は省略する。
【００９１】  本実施形態に係るバックライト装置１０１２では、図３５に示すように、ＬＥＤ１０１７及びＬＥＤ基板１０１８が、長辺側の両端部と、短辺側の両端部と、にそれぞれ配された構成、つまり外周側端部の全周にわたって配された構成となっている。詳しくは、各ＬＥＤ基板１０１８は、実装された各ＬＥＤ１０１７が導光板１０１９の外周端面の全周にわたって対向する形で配されている。従って、本実施形態では、導光板１０１９の外周端面が全周にわたってＬＥＤ１０１７からの光が入射される入光端面１０１９ｂとされており、導光板１０１９の外周端面に非入光端面が有されない構成とされている。このように本実施形態に係るバックライト装置１０１２は、導光板１０１９がその４つの辺部に倣って配される４つのＬＥＤ基板１０１８及びそれらに実装された各ＬＥＤ１０１７から入光される、４辺入光タイプとされている。
【００９２】  そして、波長変換部１０２０は、各ＬＥＤ基板１０１８と各入光端面１０１９ｂとの間にそれぞれ介在する形で４つが配置されている。これにより、各ＬＥＤ基板１０１８の各ＬＥＤ１０１７から発せられた光は、各波長変換部１０２０にて波長変換されて導光板１０１９の各入光端面１０１９ｂに入射されるようになっている。
【００９３】  ＜実施形態１２＞  本発明の実施形態１２を図３６から図４１によって説明する。本実施形態では、実施形態１と同様、バックライト装置９９１２、それを用いた液晶表示装置９９１０及びテレビ受信装置について例示する。なお、テレビ受信装置、液晶表示装置９９１０の構成については実施形態１と同様のため説明を省略する。一方、バックライト装置９９１２も、概ね実施形態１と同様の構成を備えているが、図３６及び図３７に示すように、波長変換部の構成が実施形態１と異なる。したがって、波長変換部以外のバックライト装置９９１２の構成要素については実施形態１と同様のため説明を省略する。
【００９４】  本実施形態１２におけるバックライト装置９９１２は、図３６に示すように、ＬＥＤ９９１７と導光板９９１９との間に介在する形で配されてＬＥＤ９９１７からの光を波長変換する主波長変換部（主波長変換チューブ）９９２０が備えられる。ＬＥＤ９９１７は、ＬＥＤ基板９９１８上に表面実装されるとともにその発光面９９１７ａがＬＥＤ基板９９１８側とは反対側を向いた、いわゆる頂面発光型とされている。このＬＥＤ９９１７は、青色の単色光を発する青色ＬＥＤとされている。そして、ＬＥＤ９９１７から発せられた青色の光は、その一部が詳しくは後述する主波長変換部９９２０によって緑色の光や赤色の光に波長変換されるようになっており、これら波長変換された緑色の光及び赤色の光（二次光）と、ＬＥＤ９９１７の青色の光（一次光）と、の加法混色によりバックライト装置９９１２の出射光が概ね白色を呈するものとされる。
【００９５】  主波長変換部９９２０は、図３８ないし図４０に示すように、ＬＥＤ９９１７から発せられた光（一次光）を他の波長の光（二次光）へと波長変換する蛍光体（波長変換物質）を有するとともにＬＥＤ９９１７と導光板９９１９の入光端面９９１９ｂとの間に介在する形で配されている。主波長変換部９９２０は、図示しない保持手段によって上記した姿勢に保持されている。主波長変換部９９２０は、導光板９９１９の入光端面９９１９ｂにおける長さ方向（Ｘ軸方向）に沿って延在し、入光端面９９１９ｂに対してほぼ全長にわたって対向状をなすとともにＬＥＤ基板９９１８に実装された全てのＬＥＤ９９１７に対して対向状をなす形で配されている。主波長変換部９９２０は、その長さ方向（延在方向、Ｘ軸方向）と直交する方向に沿って切断した断面形状が縦長の略長円形状をなしており、長さ寸法（Ｘ軸方向についての寸法）が導光板９９１９の長辺寸法（入光端面９９１９ｂの長さ寸法）よりも大きく、高さ寸法（Ｚ軸方向についての寸法）が導光板９９１９の厚み寸法（入光端面９９１９ｂの幅寸法）よりも大きなものとされる。主波長変換部９９２０は、Ｘ軸方向及びＺ軸方向に沿う両外面が共にほぼフラットな面とされており、各ＬＥＤ９９１７の発光面９９１７ａと対向する外面が同発光面９９１７ａに並行して同発光面９９１７ａからの光が入射される入光面９９２０ａとされるのに対し、導光板９９１９の入光端面９９１９ｂと対向する外面が同入光端面９９１９ｂに並行して同入光端面９９１９ｂに向けて光が出射される出光面９９２０ｂとされる。主波長変換部９９２０は、その幅方向（Ｙ軸方向）について内端位置がフレーム９９１６の枠状部９９１６ａの内端位置よりも外側に配されている。つまり、主波長変換部９９２０は、その全域がフレーム９９１６の枠状部９９１６ａと平面に視て重畳する配置とされているので、液晶表示装置９９１０の使用者に表側から主波長変換部９９２０が直接視認されるなどといった事態が生じ難いものとされる。このような構成によれば、ＬＥＤ９９１７から発せられた光は、ＬＥＤ９９１７と導光板９９１９の入光端面９９１９ｂとの間に介在する形で配される主波長変換部９９２０を透過する過程で波長変換されるなどしてから入光端面９９１９ｂに入射されて導光板９９１９内を伝播された後に出光板面９９１９ａから出射されることになる。主波長変換部９９２０は、ＬＥＤ９９１７と導光板９９１９の入光端面９９１９ｂとの間に介在する形で配されているので、仮に波長変換部をシート状に形成して導光板９９１９の出光板面９９１９ａまたは反対板面９９１９ｃに重なる形で配した場合に比べると、蛍光体の使用量が少なく済み、もって製造コストを低下させる上で好適とされる。
【００９６】  そして、主波長変換部９９２０は、ＬＥＤ９９１７からの光を波長変換するための蛍光体（波長変換物質）を含有する蛍光体含有部９９２９と、入光端面９９１９ｂの長さ方向であるＸ軸方向に沿って延在して蛍光体含有部９９２９を収容する容器（キャピラリ）９９３０と、容器９９３０におけるＸ軸方向についての端側部分を封止する封止部９９３１と、を有している。蛍光体含有部９９２９には、ＬＥＤ９９１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、主波長変換部９９２０は、ＬＥＤ９９１７の発光光（青色の光、一次光）をその色味（青色）に対して補色となる色味（黄色）を呈する二次光（緑色の光及び赤色の光）に波長変換するものとされる。蛍光体含有部９９２９は、例えば液体状態の紫外線硬化性樹脂材料中に赤色蛍光体及び緑色蛍光体を分散配合して得た蛍光体溶液を容器９９３０内に注入した後に照射される紫外線によって硬化されてなるものとされる。
【００９７】  蛍光体含有部９９２９は、容器９９３０の内部空間に密封されており、Ｘ軸方向及びＺ軸方向に沿う面を有している。蛍光体含有部９９２９は、その形成範囲が、Ｘ軸方向についてＬＥＤ基板９９１８におけるＬＥＤ９９１７の実装範囲の大部分に対して重畳するとともに、Ｚ軸方向についてＬＥＤ９９１７の発光面９９１７ａの全域に対して重畳するよう設定されている。蛍光体含有部９９２９は、その厚さ寸法（Ｙ軸方向についての寸法）が、次述する容器９９３０の厚さ寸法よりも小さくて具体的には約０．５ｍｍ程度とされる。蛍光体含有部９９２９は、Ｘ軸方向及びＺ軸方向に沿う表裏の両面が共にフラットな面とされ、ＬＥＤ９９１７の発光面９９１７ａ及び導光板９９１９の入光端面９９１９ｂにそれぞれ並行している。
【００９８】  容器９９３０は、ほぼ透明で透光性に優れた無機ガラス材料（例えば無アルカリガラスや石英ガラスなど）からなり、その屈折率は、例えば約１．５程度とされる。容器９９３０は、蛍光体含有部９９２９をその全長にわたって取り囲んでおり、Ｘ軸方向に沿って延在する略有底筒状をなすとともにその長さ方向（延在方向）と直交する形で切断した断面形状が縦長な略長円形状をなしている。容器９９３０における長さ方向に沿った両外面が、既述した入光面９９２０ａ及び出光面９９２０ｂを構成している。容器９９３０は、その厚さ寸法が、上記した蛍光体含有部９９２９の厚さ寸法よりも大きくて具体的には約１ｍｍ程度ずつとされる。容器９９３０は、その長さ方向についての一方の端側部分が封止部９９３１により封止されている。つまり、この主波長変換部９９２０は、片端側のみが封止部３１により封止された片側封止構造とされている。容器９９３０は、製造過程において蛍光体含有部９９２９が形成される前の段階では、一方の端側部分が外部に開口しているのに対し、他方の端側部分が底部９９３０ａにより閉塞した状態とされており、蛍光体含有部９９２９が形成された後に開口が封止部９９３１により封止されるようになっている。封止部９９３１は、容器９９３０と同一の無機ガラス材料からなるものとされているので、容器９９３０における端側部分を高い密閉性でもって封止することができる。封止部９９３１におけるＸ軸方向についての寸法は、容器９９３０における底部９９３０ａの厚み寸法よりは大きく、ＬＥＤ９９１７におけるＸ軸方向についての寸法よりも小さいか同じ程度とされており、具体的には例えば５ｍｍ程度とされる。
【００９９】  上記のような構成（片側封止構造）の主波長変換部９９２０における長さ方向についての一対の端側部分９９２０ＥＰのうち、一方の端側部分９９２０ＥＰに封止部９９３１が設けられるのに対し、他方の端側部分９９２０ＥＰに封止部９９３１が設けられていないことから、以下では前者を封止部設置端側部分９９２０ＥＰ１とし、後者を封止部非設置端側部分（底部設置端側部分）９９２０ＥＰ２とする。主波長変換部９９２０における封止部設置端側部分９９２０ＥＰ１（封止部３１）は、図３８に示すように、導光板９９１９における一方（図３８に示す右側）の非入光側端面９９１９ｄ２よりもＸ軸方向について外側に突き出していて一方の非入光側端面９９１９ｄ２とＸ軸方向について重なり合う位置関係とされるのに対し、封止部非設置端側部分９９２０ＥＰ２（容器９９３０の底部９９３０ａ）は、導光板９９１９における他方（図３８に示す左側）の非入光側端面９９１９ｄ２よりもＸ軸方向について内側に引っ込んでいて他方の非入光側端面９９１９ｄ２とはＸ軸方向について重なり合わない位置関係とされる。主波長変換部９９２０における封止部設置端側部分９９２０ＥＰ１は、封止部９９３１を有しているのに対し、封止部非設置端側部分９９２０ＥＰ２は、封止部９９３１を有さずに容器９９３０の底部９９３０ａを有しているため、主波長変換部９９２０における長さ方向についての両端縁には、蛍光体含有部９９２９（蛍光体）が配置されない領域がそれぞれ少なからず存在することになる。特に、封止部設置端側部分９９２０ＥＰ１における端縁は、蛍光体含有部９９２９が配置されない領域が封止部９９３１におけるＸ軸方向についての寸法分だけ存在しており、封止部非設置端側部分９９２０ＥＰ２の同領域（底部９９３０ａの厚み寸法分）よりも広いものとなっている。ここで、液晶表示装置９９１０及びバックライト装置９９１２の狭額縁化が進行すると、主波長変換部９９２０における蛍光体含有部９９２９が配置されない領域がＬＥＤ９９１７とＸ軸方向について重なり合う位置関係となり易く、それに起因してＬＥＤ９９１７からの青色の光が蛍光体含有部９９２９の蛍光体により波長変換されずに導光板９９１９の入光端面９９１９ｂにおける長さ方向の端側部分に入射し、導光板９９１９におけるＸ軸方向についての端側部分から出射する光が青色味を帯びたものとなる、といった色ムラを発生させる事態が懸念されていた。特に、封止部設置端側部分９９２０ＥＰ１における端縁は、蛍光体含有部９９２９が配置されない領域が広いことから、同領域がＬＥＤ９９１７とＸ軸方向について重なり合う位置関係となり易く、色ムラの発生が懸念されていた。
【０１００】  そこで、本実施形態に係るバックライト装置９９１２では、主波長変換部９９２０のうち長さ方向の端側部分９９２０ＥＰに、ＬＥＤ９９１７からの光を波長変換する副波長変換部（副波長変換シート）９９３２が設けられている。このような構成によれば、上記したように主波長変換部９９２０における長さ方向の端縁に蛍光体含有部９９２９が配置されない領域が生じ、その領域がＬＥＤ９９１７と長さ方向について重なり合うような位置関係になることに起因して主波長変換部９９２０における長さ方向の端側部分９９２０ＥＰを透過する光に、蛍光体含有部９９２９の蛍光体により波長変換されないものが含まれることになるとしても、その端側部分９９２０ＥＰを透過する波長未変換の光を、主波長変換部９９２０のうち長さ方向の端側部分９９２０ＥＰに設けられた副波長変換部９９３２によって波長変換することができる。これにより、導光板９９１９の入光端面９９１９ｂにおける長さ方向の端側部分に入射される光の色味と、入光端面９９１９ｂにおける長さ方向の中央側部分に入射される光の色味と、に差が生じ難くなるので、狭額縁化が進行しても出光板面９９１９ａから出射される光に色ムラが発生し難いものとなる。
【０１０１】  副波長変換部９９３２について詳しく説明する。副波長変換部９９３２は、図４１に示すように、波長未変換の青色の光を波長変換するための蛍光体（波長変換物質）を含有する波長変換層（蛍光体フィルム）９９３２ａと、波長変換層９９３２ａを表裏から挟み込んでこれを保護する一対の保護層（保護フィルム）９９３２ｂと、から構成されており、全体としてシート状をなしている。波長変換層９９３２ａには、ＬＥＤ９９１７からの波長未変換の青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、副波長変換部９９３２は、波長未変換の青色の光（一次光）をその色味（青色）に対して補色となる色味（黄色）を呈する二次光（緑色の光及び赤色の光）に波長変換するものとされる。波長変換層９９３２ａは、ほぼ透明な合成樹脂製でフィルム状をなす基材（蛍光体担体）９９３２ａ１に、赤色蛍光体及び緑色蛍光体を分散配合した蛍光体層９９３２ａ２を塗布してなるものとされる。蛍光体層９９３２ａ２に分散配合される赤色蛍光体及び緑色蛍光体は、いずれも量子ドット蛍光体とされている。蛍光体層９９３２ａ２に含有される各量子ドット蛍光体は、好ましくは、主波長変換部９９２０の蛍光体含有部９９２９に含有される各量子ドット蛍光体と同一材料または近似した材料とされており、それにより副波長変換部３２により波長変換された緑色の光及び赤色の光に係る光学特性（主発光波長など）が、主波長変換部９９２０により波長変換された緑色の光及び赤色の光に係る光学特性と同一または近似したものとなる。保護層９９３２ｂは、ほぼ透明な合成樹脂製でフィルム状をなしており、防湿性などに優れるものとされる。
【０１０２】  副波長変換部９９３２は、図３９に示すように、主波長変換部９９２０における一対の端側部分９９２０ＥＰのうち封止部９９３１が設けられた封止部設置端側部分９９２０ＥＰ１に対して取り付けられている。つまり、副波長変換部９９３２は、一対の端側部分９９２０ＥＰのうち、封止部非設置端側部分９９２０ＥＰ２には配されておらず、封止部設置端側部分９９２０ＥＰ１のみに選択的に配されている。このような構成によれば、主波長変換部９９２０の封止部設置端側部分９９２０ＥＰ１において蛍光体含有部９９２９が配置されない範囲が封止部非設置端側部分９９２０ＥＰ２よりも広くなることに起因して封止部設置端側部分９９２０ＥＰ１の透過光に、蛍光体により波長変換されない青色の光が多く含まれることになっても、その光を副波長変換部９９３２により緑色の光及び赤色の光へと波長変換することができる。これにより、色ムラの発生をより好適に抑制することができる。しかも、一対の端側部分９９２０ＥＰのうち封止部非設置端側部分９９２０ＥＰ２には、副波長変換部９９３２が配されることがないので、副波長変換部９９３２の設置に係るコストを削減する上で好適となる。
【０１０３】  副波長変換部９９３２は、図３９及び図４０に示すように、主波長変換部９９２０の封止部設置端側部分９９２０ＥＰ１の外面のうち、導光板９９１９側の面、つまり出光面９９２０ｂに重なる形で配されている。主波長変換部９９２０における出光面９９２０ｂは、導光板９９１９の入光端面９９１９ｂと正対していて同入光端面９９１９ｂに並行しているので、出光面９９２０ｂから出射された光が入光端面９９１９ｂへと直接的に入射されるようになっている。このような出光面９９２０ｂに対して導光板９９１９側に重なる形で副波長変換部９９３２を設けることで、封止部設置端側部分９９２０ＥＰ１を出射する光に含まれる波長未変換の青色の光を副波長変換部９９３２によって緑色の光及び赤色の光に波長変換した上で導光板９９１９の入光端面９９１９ｂに入射させることができる。また、副波長変換部９９３２は、Ｚ軸方向について封止部設置端側部分９９２０ＥＰ１の出光面９９２０ｂをほぼ全域にわたって覆う形で配されている。
【０１０４】  副波長変換部９９３２は、図３９に示すように、主波長変換部９９２０の封止部設置端側部分９９２０ＥＰ１において蛍光体含有部９９２９とはＸ軸方向について重ならない範囲に配されるのに加えて、蛍光体含有部９９２９の一部とＸ軸方向について重なる範囲にも配されている。詳しくは、封止部設置端側部分９９２０ＥＰ１は、Ｘ軸方向についての端縁である封止部９９３１が蛍光体含有部９９２９が配置されない領域とされるのに対し、それよりもＸ軸方向について中央側の部分が蛍光体含有部９９２９が配置される領域とされている。これに対して副波長変換部９９３２は、Ｘ軸方向についての形成範囲が、封止部９９３１におけるＸ軸方向についての範囲よりも広くされるとともに、Ｘ軸方向について封止部９９３１の全域に対して重なるよう配置されており、それにより封止部設置端側部分９９２０ＥＰ１における蛍光体含有部９９２９が配置される領域の一部（封止部９９３１側の端部）に対して重なる配置とされている。このような構成により、主波長変換部９９２０における封止部設置端側部分９９２０ＥＰ１を透過する光に含まれる波長未変換の青色の光を副波長変換部９９３２によって一層効率的に波長変換することができる。また、副波長変換部９９３２は、封止部設置端側部分９９２０ＥＰ１と対向するＬＥＤ９９１７（並び方向について最も端に位置する端側光源）の一部に対してもＸ軸方向について重なり合う位置関係とされる。
【０１０５】  本実施形態は以上のような構造であり、続いてその作用を説明する。液晶表示装置９９１０の電源をＯＮすると、図示しないコントロール基板のパネル制御回路により液晶パネル９９１１の駆動が制御されるとともに、図示しないＬＥＤ駆動基板からの駆動電力がＬＥＤ基板９９１８の各ＬＥＤ９９１７に供給されることでその駆動が制御される。各ＬＥＤ９９１７からの光は、導光板９９１９により導光されることで、光学部材９９１５を介して液晶パネル９９１１に照射され、もって液晶パネル９９１１に所定の画像が表示される。以下、バックライト装置９９１２に係る作用について詳しく説明する。
【０１０６】  各ＬＥＤ９９１７を点灯させると、各ＬＥＤ９９１７の発光面９９１７ａから発せられた青色の光（一次光）は、主波長変換部９９２０の入光面９９２０ａに入射し、容器９９３０内の蛍光体含有部９９２９に含有される緑色蛍光体及び赤色蛍光体により緑色の光及び赤色の光（二次光）へと波長変換される。この波長変換された緑色の光及び赤色の光と、ＬＥＤ９９１７の青色の光と、によって、概ね白色の照明光が得られることになる。蛍光体含有部９９２９にて波長変換された緑色の光及び赤色の光と、蛍光体含有部９９２９にて波長変換されなかった青色の光と、は、主波長変換部９９２０の出光面９９２０ｂから出射して導光板９９１９における入光端面９９１９ｂに入射する。入光端面９９１９ｂに入射した光は、導光板９９１９における外部の空気層との界面にて全反射されたり、反射シート９９２５により反射されるなどして導光板９９１９内を伝播されつつ、光反射パターンの光反射部にて散乱反射されることで、出光板面９９１９ａに対する入射角が臨界角を超えない光となって出光板面９９１９ａからの出射が促されるようになっている。導光板９９１９の出光板面９９１９ａを出射した光は、各光学部材９９１５を透過する過程でそれぞれ光学作用を付与された上で液晶パネル９９１１に対して照射される。
【０１０７】  主波長変換部９９２０に係る作用について詳しく説明する。ＬＥＤ９９１７から発せられた青色の光（一次光）が主波長変換部９９２０の入光面９９２０ａに入射すると、容器９９３０内に充填された蛍光体含有部９９２９に分散配合された緑色蛍光体及び赤色蛍光体では青色の光の一部が励起光として利用されて緑色蛍光体及び赤色蛍光体から緑色の光及び赤色の光（二次光）が発せられる。波長変換された緑色の光及び赤色の光と、未変換の青色の光と、は、主波長変換部９９２０の出光面９９２０ｂから出射して導光板９９１９の入光端面９９１９ｂに入射されることになる。ここで、主波長変換部９９２０における長さ方向の両端側部分９９２０ＥＰの各端縁には、封止部９９３１及び容器９９３０の底部９９３０ａが存在するため、当該部位には蛍光体含有部９９２９の緑色蛍光体及び赤色蛍光体が配置されることがないものとされる。液晶表示装置９９１０及びバックライト装置９９１２の狭額縁化が進行すると、主波長変換部９９２０における緑色蛍光体及び赤色蛍光体が配置されない部位である封止部９９３１及び底部９９３０ａが、ＬＥＤ基板９９１８におけるＬＥＤ９９１７の並び方向（Ｘ軸方向）について端に位置するＬＥＤ（端側光源）９９１７と重なり合う位置関係となり易くなる。このような位置関係に起因してＬＥＤ９９１７からの光が緑色蛍光体及び赤色蛍光体により波長変換されずに導光板９９１９の入光端面９９１９ｂにおける長さ方向の端側部分に入射することが懸念されていた。特に、封止部設置端側部分９９２０ＥＰ１の封止部９９３１は、封止部非設置端側部分９９２０ＥＰ２における容器９９３０の底部９９３０ａに比べると、Ｘ軸方向についての寸法が大きなものとなっているから、端に位置するＬＥＤ９９１７に対してＸ軸方向について重なり合う位置関係によりなり易く、それに起因して端に位置するＬＥＤ９９１７からの青色の光が緑色蛍光体及び赤色蛍光体により波長変換されずに導光板９９１９の入光端面９９１９ｂのうち、封止部設置端側部分９９２０ＥＰ１と対向状をなす長さ方向の端側部分に入射して青色味を帯びた出射光が出光板面９９１９ａの一部から出射することが懸念されていた。
【０１０８】  その点、本実施形態によれば、主波長変換部９９２０のうちＸ軸方向の端側部分９９２０ＥＰには、ＬＥＤ９９１７からの光を波長変換する副波長変換部９９３２が設けられているから、上記のように主波長変換部９９２０における長さ方向の端側部分９９２０ＥＰを透過した光に、蛍光体含有部９９２９の蛍光体により波長変換されないものが含まれていても、その波長未変換の青色の光を、端側部分９９２０ＥＰにおける出光面９９２０ｂに重なる形で設けられた副波長変換部９９３２に有される蛍光体によって緑色の光及び赤色の光へと所定の変換効率でもって波長変換した上で、導光板９９１９の入光端面９９１９ｂへ向けて出射させることができる。しかも、副波長変換部９９３２は、主波長変換部９９２０における一対の端側部分９９２０ＥＰのうち、封止部設置端側部分９９２０ＥＰ１のみに選択的に配されているから、主波長変換部９９２０の封止部設置端側部分９９２０ＥＰ１において蛍光体含有部９９２９が配置されない範囲が封止部非設置端側部分９９２０ＥＰ２よりも広くなることに起因して封止部設置端側部分９９２０ＥＰ１の透過光に、蛍光体により波長変換されない青色の光が多く含まれていても、その光を副波長変換部９９３２により緑色の光及び赤色の光へと所定の変換効率でもって波長変換することができる。さらには、副波長変換部９９３２は、封止部設置端側部分９９２０ＥＰ１においてＸ軸方向について蛍光体含有部９９２９が配置されない領域である封止部９９３１に加えて、蛍光体含有部９９２９が配置される領域にも重なる形で配されているから、封止部９９３１からＹ軸方向に沿って真っ直ぐに出射する光に加えて、封止部９９３１からＹ軸方向に対して斜め中央向きに出射する光についても、副波長変換部９９３２を透過することになる。これにより、封止部設置端側部分９９２０ＥＰ１の透過光に波長未変換の青色の光が含まれていても、副波長変換部９９３２によって緑色の光及び赤色の光へと効率的に波長変換することができる。以上により、導光板９９１９の入光端面９９１９ｂにおける長さ方向の端側部分に入射される光の色味と、入光端面９９１９ｂにおける長さ方向の中央側部分に入射される光の色味と、に差が生じ難くなるので、狭額縁化が進行しても出光板面９９１９ａから出射される光に色ムラが発生し難いものとなる。
【０１０９】  以上説明したように本実施形態のバックライト装置（照明装置）９９１２は、ＬＥＤ（光源）９９１７と、外周端面の少なくとも一部であってＬＥＤ９９１７からの光が入射される入光端面９９１９ｂと一対の板面のいずれかであって光を出射させる出光板面９９１９ａとを有する導光板９９１９と、入光端面９９１９ｂの長さ方向に沿って延在するとともにＬＥＤ９９１７と入光端面９９１９ｂとの間に介在する形で配されてＬＥＤ９９１７からの光を波長変換する蛍光体を有する主波長変換部９９２０と、主波長変換部９９２０のうち少なくとも長さ方向の端側部分９９２０ＥＰに設けられてＬＥＤ９９１７からの光を波長変換する副波長変換部９９３２と、を備える。
【０１１０】  これにより、ＬＥＤ９９１７から発せられた光は、ＬＥＤ９９１７と入光端面９９１９ｂとの間に介在する形で配される主波長変換部９９２０に有される蛍光体にて波長変換されるなどしてから導光板９９１９の入光端面９９１９ｂに入射されて導光板９９１９内を伝播された後に出光板面９９１９ａから出射される。この主波長変換部９９２０は、入光端面９９１９ｂの長さ方向に沿って延在しているが、長さ方向の端縁には蛍光体が配置されない領域が生じるものとされる。ここで、当該バックライト装置９９１２の狭額縁化が進行すると、主波長変換部９９２０における蛍光体が配置されない領域がＬＥＤ９９１７と重なり合う位置関係となり易く、それに起因してＬＥＤ９９１７からの光が蛍光体により波長変換されずに導光板９９１９の入光端面９９１９ｂにおける長さ方向の端側部分に入射することが懸念されていた。これに対し、主波長変換部９９２０のうち少なくとも長さ方向の端側部分９９２０ＥＰには、ＬＥＤ９９１７からの光を波長変換する副波長変換部３２が設けられているから、主波長変換部９９２０における長さ方向の端縁に蛍光体が配置されない領域が生じ、その領域がＬＥＤ９９１７と長さ方向について重なり合うような位置関係になっても、主波長変換部９９２０における長さ方向の端側部分９９２０ＥＰを透過する光に含まれる波長未変換の光を副波長変換部９９３２によって波長変換することができる。これにより、導光板９９１９の入光端面９９１９ｂにおける長さ方向の端側部分に入射される光の色味と、入光端面９９１９ｂにおける長さ方向の中央側部分に入射される光の色味と、に差が生じ難くなるので、狭額縁化が進行しても出光板面９９１９ａから出射される光に色ムラが発生し難いものとなる。
【０１１１】  また、副波長変換部９９３２は、端側部分９９２０ＥＰの外面のうち、少なくとも導光板９９１９側の出光面９９２０ｂに重なる形で配されている。これにより、主波長変換部９９２０における長さ方向の端側部分９９２０ＥＰを出射する光に含まれる波長未変換の光を副波長変換部９９３２によって波長変換することができる。また、副波長変換部９９３２は、端側部分９９２０ＥＰにおいて少なくとも蛍光体とは長さ方向について重ならない範囲に配される。これにより、主波長変換部９９２０における長さ方向の端側部分９９２０ＥＰを透過する光に含まれる波長未変換の光を副波長変換部９９３２によって効率的に波長変換することができる。また、副波長変換部９９３２は、端側部分９９２０ＥＰにおいて少なくとも蛍光体と長さ方向について重なる範囲の一部に配される。これにより、主波長変換部９９２０における長さ方向の端側部分９９２０ＥＰを透過する光に含まれる波長未変換の光を副波長変換部９９３２によって一層効率的に波長変換することができる。
【０１１２】  また、主波長変換部９９２０は、長さ方向についての一対の端側部分９９２０ＥＰのうちの一方側が封止部９９３１が設けられた封止部設置端側部分９９２０ＥＰ１とされるのに対し、他方側が封止部９９３１が設けられない封止部非設置端側部分９９２０ＥＰ２とされており、副波長変換部９９３２は、少なくとも封止部設置端側部分９９２０ＥＰ１に設けられている。このように、主波長変換部９９２０における長さ方向についての一対の端側部分９９２０ＥＰのうち一方側は、封止部９９３１が設けられた封止部設置端側部分９９２０ＥＰ１とされるため、蛍光体が配置されない範囲が、封止部９９３１が設けられない封止部非設置端側部分９９２０ＥＰ２よりも広くなり易い傾向にある。その点、副波長変換部９９３２は、少なくとも封止部設置端側部分９９２０ＥＰ１に設けられているから、封止部設置端側部分９９２０ＥＰ１を透過する光により多く含まれる波長未変換の光を副波長変換部９９３２によって波長変換することができる。これにより、色ムラの発生をより好適に抑制することができる。
【０１１３】  また、副波長変換部９９３２は、主波長変換部９９２０における一対の端側部分９９２０ＥＰのうち、封止部設置端側部分９９２０ＥＰ１に選択的に設けられている。このようにすれば、主波長変換部９９２０における封止部非設置端側部分９９２０ＥＰ２には、副波長変換部９９３２が配されることがないので、副波長変換部９９３２の設置に係るコストを削減する上で好適となる。
【０１１４】  ＜実施形態１３＞  本発明の実施形態１３を図４２によって説明する。この実施形態１３では、副波長変換部９９１３２の設置数を変更したものを示す。なお、上記した実施形態１２と同様の構造、作用及び効果について重複する説明は省略する。
【０１１５】  本実施形態に係る複数のＬＥＤ９９１１７のうち、主波長変換部９９１２０における封止部非設置端側部分９９１２０ＥＰ２が配置された側の端に位置するＬＥＤ（端側光源）９９１１７は、図４２に示すように、その一部が、主波長変換部９９１２０の封止部非設置端側部分９９１２０ＥＰ２のうち蛍光体含有部９９１２９が配置されない領域である容器９９１３０の底部９９１３０ａに対してＸ軸方向について重なり合う配置とされる。このような配置構成は、上記した実施形態１２に記載したものよりもバックライト装置９９１１２の狭額縁化が進行した場合に採られ得るものとされる。このような配置構成において、副波長変換部９９１３２は、主波長変換部９９１２０における封止部設置端側部分９９１２０ＥＰ１に加えて、封止部９９１３１が設けられない封止部非設置端側部分９９１２０ＥＰ２にも設けられている。つまり、副波長変換部９９１３２は、主波長変換部９９１２０における一対の端側部分９９１２０ＥＰのそれぞれに対して一対設けられている。封止部非設置端側部分９９１２０ＥＰ２に設けられた副波長変換部９９１３２は、封止部設置端側部分９９１２０ＥＰ１に設けられた副波長変換部９９１３２（上記した実施形態１２に記載した副波長変換部９９３２）と概ね同様の構成とされており、封止部非設置端側部分９９１２０ＥＰ２においてＸ軸方向について蛍光体含有部９９１２９が配置されない領域である容器９９１３０の底部９９１３０ａに加えて、蛍光体含有部９９１２９が配置される領域にも重なる形で配されている。また、副波長変換部９９１３２は、封止部非設置端側部分９９１２０ＥＰ２における出光面９９１２０ｂに重なる形で設けられている。
【０１１６】  主波長変換部９９１２０における封止部非設置端側部分９９１２０ＥＰ２のうち蛍光体含有部９９１２９が配置されない領域である容器９９１３０の底部９９１３０ａが端に位置するＬＥＤ９９１１７とＸ軸方向について重なり合うような位置関係になると、主波長変換部９９１２０におけるＸ軸方向の封止部非設置端側部分９９１２０ＥＰ２を透過した光に、蛍光体により波長変換されない青色の光が含まれる場合がある。そのような場合でも、封止部非設置端側部分９９１２０ＥＰ２を透過した波長未変換の青色の光は、封止部非設置端側部分９９１２０ＥＰ２の出光面９９１２０ｂに重なる形で設けられた副波長変換部９９１３２によって緑色の光及び赤色の光に所定の変換効率でもって波長変換される。これにより、色ムラの発生がより好適に抑制される。なお、一対の副波長変換部９９１３２における蛍光体の含有量や含有濃度を異ならせることも可能であり、その場合は、封止部設置端側部分９９１２０ＥＰ１に設けられる副波長変換部９９１３２を、封止部非設置端側部分９９１２０ＥＰ２に設けられる副波長変換部９９１３２よりも、蛍光体の含有量を多くして含有濃度を高くするのが好ましい。
【０１１７】  以上説明したように本実施形態によれば、副波長変換部９９１３２は、封止部設置端側部分９９１２０ＥＰ１及び封止部非設置端側部分９９１２０ＥＰ２のそれぞれに設けられている。このようにすれば、主波長変換部９９１２０における封止部非設置端側部分９９１２０ＥＰ２の端縁に蛍光体が配置されない領域が生じ、その領域がＬＥＤ９９１１７と長さ方向について重なり合うような位置関係になることになっても、主波長変換部９９１２０における封止部非設置端側部分９９１２０ＥＰ２を透過する光に含まれる波長未変換の光を副波長変換部９９１３２によって波長変換することができる。これにより、色ムラの発生がより好適に抑制される。
【０１１８】  ＜実施形態１４＞  本発明の実施形態１４を図４３によって説明する。この実施形態１４では、上記した実施形態１２から主波長変換部９９２２０の設置数を変更したものを示す。なお、上記した実施形態１２と同様の構造、作用及び効果について重複する説明は省略する。
【０１１９】  本実施形態に係る主波長変換部９９２２０は、図４３に示すように、導光板９９２１９の入光端面９９２１９ｂの長さ方向に沿って２本が互いに隣り合う形で並んで配されている。２本の主波長変換部９９２２０は、互いの軸線がほぼ一致する形で、ＬＥＤ９９２１７と導光板９９２１９との間の空間にてＸ軸方向に沿って直線的に並んで配置されている。このように２本の主波長変換部９９２２０を用いるようにすれば、より大型のバックライト装置９９２１２に好適とされる。２本の主波長変換部９９２２０における互いに隣り合うことがない一対の端側部分９９２２０ＥＰは、それぞれ封止部設置端側部分９９２２０ＥＰ１とされるとともに、バックライト装置９９２１２におけるＸ軸方向（入光端面９９２１９ｂにおける長さ方向）についての両外側（両端）に配されている。これに対し、２本の主波長変換部９９２２０における互いに隣り合う一対の端側部分９９２２０ＥＰは、それぞれ封止部非設置端側部分９９２２０ＥＰ２とされるとともに、バックライト装置９９２１２におけるＸ軸方向についての中央側に配されている。２本の主波長変換部９９２２０の各封止部設置端側部分９９２２０ＥＰ１における各封止部９９２３１は、バックライト装置９９２１２においてＸ軸方向について端に位置する各ＬＥＤ（端側光源）９９２１７に対して部分的に重なり合う配置とされる。一方、２本の主波長変換部９９２２０における各封止部非設置端側部分９９２２０ＥＰ２が有する各容器９９２３０の底部９９２３０ａは、バックライト装置９９２１２においてＸ軸方向について中央に位置する各ＬＥＤ（中央側光源）９９２１７に対して重なり合わない配置とされる。また、ＬＥＤ基板９９２１８は、主波長変換部９９２２０と同様に、入光端面９９２１９ｂの長さ方向に沿って２枚が隣り合う形で並んで配されている。各ＬＥＤ基板９９２１８は、その長さ寸法が各主波長変換部９９２２０の長さ寸法と概ね同じ程度とされており、各主波長変換部９９２２０に対して個別に対向する形で配置されている。従って、各ＬＥＤ基板９９２１８に実装された複数ずつのＬＥＤ９９２１７から発せられた光は、各ＬＥＤ基板９９２１８と対向する各主波長変換部９９２２０に対してそれぞれ入射されるようになっている。
【０１２０】  そして、副波長変換部９９２３２は、導光板９９２１９のうち２本の主波長変換部９９２２０において互いに隣り合わない一対の端側部分９９２２０ＥＰである一対の封止部設置端側部分９９２２０ＥＰ１にそれぞれ設けられている。つまり、副波長変換部９９２３２は、上記した実施形態１３と同様に、主波長変換部９９２２０のうちＸ軸方向についてバックライト装置９９２１２の両端に位置する一対の端側部分９９２２０ＥＰに一対設けられている。一対の副波長変換部９９２３２は、上記した実施形態１２，１３に記載したものと同様の構成とされている。本実施形態においては、一対の副波長変換部９９２３２を同一部材とし、蛍光体の含有量や含有濃度を等しくするのが好ましい。このような構成によれば、バックライト装置９９２１２の狭額縁化に伴って、導光板９９２１９の入光端面９９２１９ｂにおける長さ方向についての両端側において、それぞれ主波長変換部９９２２０における蛍光体含有部９９２２９が配置されない領域である各封止部９９２３１が両端に位置する各ＬＥＤ（一対の端側光源）９９２１７とそれぞれ重なり合う位置関係となっていても、各封止部９９２３１を透過して導光板９９２１９の入光端面９９２１９ｂに入射された波長未変換の青色の光が、各封止部設置端側部分９９２２０ＥＰ１の出光面９９２２０ｂに重なる形で設けられた各副波長変換部９９２３２によって緑色の光及び赤色の光へと所定の変換効率でもって波長変換される。これにより、狭額縁化が進行しても色ムラが生じ難いものとなっている。
【０１２１】  ＜実施形態１５＞  本発明の実施形態１５を図４４によって説明する。この実施形態１５では、上記した実施形態１４に記載した構成に中央側副波長変換部９９３３を追加したものを示す。なお、上記した実施形態１４と同様の構造、作用及び効果について重複する説明は省略する。
【０１２２】  本実施形態に係る複数のＬＥＤ９９３１７のうち、その並び方向（Ｘ軸方向）についての中央に位置する２つのＬＥＤ（中央側光源）９９３１７は、図４４に示すように、Ｘ軸方向に沿って並ぶ２本の主波長変換部９９３２０において互いに隣り合う一対の端側部分９９３２０ＥＰである封止部非設置端側部分９９３２０ＥＰ２と対向状をなしている。これら中央に位置する２つのＬＥＤ９９３１７は、２本の主波長変換部９９３２０における各封止部非設置端側部分９９３２０ＥＰ２のうち蛍光体含有部９９３２９が配置されない領域である容器９９３３０の底部９９３３０ａに対してそれぞれＸ軸方向について重なり合う配置とされる。各封止部非設置端側部分９９３２０ＥＰ２と対向状をなす２つのＬＥＤ９９３１７は、２枚のＬＥＤ基板９９３１８において互いに隣り合う端部にそれぞれ配置されている。
【０１２３】  このような配置構成において、２本の主波長変換部９９３２０において互いに隣り合う各封止部非設置端側部分９９３２０ＥＰ２の間に跨る形で中央側副波長変換部９９３３が設けられている。この中央側副波長変換部９９３３は、バックライト装置９９３１２におけるＸ軸方向について両端に位置する一対の副波長変換部９９３３２に対してＸ軸方向について中央側に位置して配されており、その構成が一対の副波長変換部９９３３２と同様とされている。つまり、中央側副波長変換部９９３３は、青色の光を励起光として緑色の光及び赤色の光を発する緑色蛍光体及び赤色蛍光体を有しており、これら緑色蛍光体及び赤色蛍光体は、いずれも量子ドット蛍光体とされる。
【０１２４】  詳しくは、中央側副波長変換部９９３３は、そのＸ軸方向についての形成範囲が、一方の主波長変換部９９３２０における封止部非設置端側部分９９３２０ＥＰ２から他方の主波長変換部９９３２０における封止部非設置端側部分９９３２０ＥＰ２に跨る範囲に対してＸ軸方向について重なり合うものとされる。中央側副波長変換部９９３３は、そのＸ軸方向についての寸法が、各封止部非設置端側部分９９３２０ＥＰ２のＸ軸方向についての寸法と、隣り合う封止部非設置端側部分９９３２０ＥＰ２の間の間隔と、を足し合わせた大きさ程度となっている。このような構成により、２本の主波長変換部９９３２０における各封止部非設置端側部分９９３２０ＥＰ２を透過した光や、隣り合う封止部非設置端側部分９９３２０ＥＰ２の間を通った光は、波長変換されない青色の光を含んでいても、中央側副波長変換部９９３３によって緑色の光及び赤色の光に波長変換されるので、色ムラの発生を好適に抑制することができる。
【０１２５】  以上説明したように本実施形態によれば、主波長変換部９９３２０は、長さ方向について複数が並んで配されており、中央側副波長変換部９９３３３は、複数の主波長変換部９９３２０において互いに隣り合う端側部分９９３２０ＥＰの間に跨る形で配されている。このようにすれば、複数の主波長変換部９９３２０において互いに隣り合う端側部分９９３２０ＥＰを透過する光や隣り合う端側部分９９３２０ＥＰの間を通る光に含まれる波長未変換の光を中央側副波長変換部９９３３３によって波長変換することができる。
【０１２６】  ＜実施形態１６＞  本発明の実施形態１６を図４５によって説明する。この実施形態１６では、上記した実施形態１２から副波長変換部９９４３２の配置を変更したものを示す。なお、上記した実施形態１２と同様の構造、作用及び効果について重複する説明は省略する。本実施形態に係る副波長変換部９９４３２は、図４５に示すように、主波長変換部９９４２０の端側部分９９４２０ＥＰである封止部設置端側部分９９４２０ＥＰ１の外面のうち、ＬＥＤ９９４１７側の面である入光面９９４２０ａに重なる形で配されている。つまり、この副波長変換部９９４３２は、封止部設置端側部分９９４２０ＥＰ１の外面のうち、上記した実施形態１２にて副波長変換部９９３２が設置されていた出光面９９４２０ｂとは反対側の入光面９９４２０ａに設置されている。このような構成によれば、Ｘ軸方向について端に位置するＬＥＤ９９４１７から出射された青色の光が、主波長変換部９９４２０における封止部設置端側部分９９４２０ＥＰ１に入射する際に、副波長変換部９９４３２によって緑色の光及び赤色の光に波長変換される。副波長変換部９９４３２を透過した光（波長変換された緑色の光及び赤色の光及び波長未変換の青色の光を含む）は、封止部設置端側部分９９４２０ＥＰ１を透過して出光面９９４２０ｂから出射されて導光板９９４１９の入光端面９９４１９ｂに入射される。
【０１２７】  ＜実施形態１７＞  本発明の実施形態１７を図４６によって説明する。この実施形態１７では、上記した実施形態１２，１６から副波長変換部９９５３２の設置数を変更したものを示す。なお、上記した実施形態１２，１６と同様の構造、作用及び効果について重複する説明は省略する。本実施形態に係る副波長変換部９９５３２は、図４６に示すように、主波長変換部９９５２０の端側部分９９５２０ＥＰである封止部設置端側部分９９５２０ＥＰ１の外面のうち、導光板９９５１９側の面である出光面９９５２０ｂに重なる形で配されるのに加えて、ＬＥＤ９９５１７側の面である入光面９９５２０ａに重なる形でも配されている。つまり、副波長変換部９９５３２は、封止部設置端側部分９９５２０ＥＰ１をＹ軸方向について前後から挟み込む形で出光面９９５２０ｂ及び入光面９９５２０ａのそれぞれに一対設置されている。このような構成によれば、Ｘ軸方向について端に位置するＬＥＤ９９５１７から出射された青色の光が、主波長変換部９９５２０における封止部設置端側部分９９５２０ＥＰ１に入射する際に、入光面９９５２０ａに配された副波長変換部９９５３２によって緑色の光及び赤色の光に波長変換され、さらには封止部設置端側部分９９５２０ＥＰ１を透過した光に含まれる波長未変換の青色の光が出射する際に、出光面９９５２０ｂに配された副波長変換部９９５３２によって緑色の光及び赤色の光に波長変換される。これにより、封止部設置端側部分９９５２０ＥＰ１を透過する波長未変換の光をより効率的に波長変換することができる。
【０１２８】  ＜実施形態１８＞  本発明の実施形態１８を図４７によって説明する。この実施形態１８では、上記した実施形態１７から副波長変換部９９６３２の形成範囲及び形状を変更したものを示す。なお、上記した実施形態１７と同様の構造、作用及び効果について重複する説明は省略する。本実施形態に係る副波長変換部９９６３２は、図４７に示すように、主波長変換部９９６２０の端側部分９９６２０ＥＰである封止部設置端側部分９９６２０ＥＰ１の外面のうち、出光面９９６２０ｂ及び入光面９９６２０ａに加えて、Ｘ軸方向についての端面９９６２０ｃにも重なる形で配されている。つまり、副波長変換部９９６３２は、平面に視て折り返し状に形成されていて封止部設置端側部分９９６２０ＥＰ１を平面に視て取り囲む形で設置されている。副波長変換部９９６３２は、封止部設置端側部分９９６２０ＥＰ１における出光面９９６２０ｂに重ねられる第１部９９６３２ａと、入光面９９６２０ａに重ねられる第２部９９６３２ｂと、がＸ軸方向についての端面９９６２０ｃに重ねられる第３部９９６３２ｃによって繋げられており、一部品化が図られている。これにより、部品点数の削減が図れている。この封止部設置端側部分９９６２０ＥＰ１におけるＸ軸方向についての端面９９６２０ｃは、入光面９９６２０ａと出光面９９６２０ｂとに隣り合うとともに、Ｚ軸方向及びＹ軸方向（入光端面９９６１９ｂの長さ方向の法線方向）に沿う面とされている。このような構成によれば、Ｘ軸方向について端に位置するＬＥＤ９９６１７から出射された青色の光が、主波長変換部９９６２０における封止部設置端側部分９９６２０ＥＰ１に入射する際に、副波長変換部９９６３２のうち入光面９９６２０ａに配された第２部９９６３２ｂによって緑色の光及び赤色の光に波長変換される。封止部設置端側部分９９６２０ＥＰ１を透過して出光面９９６２０ｂからＹ軸方向に沿って出射する光に含まれる波長未変換の青色の光は、副波長変換部９９６３２のうち出光面９９６２０ｂに配された第１部９９６３２ａによって緑色の光及び赤色の光に波長変換される。そして、封止部設置端側部分９９６２０ＥＰ１を透過してＸ軸方向についての端面９９６２０ｃからＸ軸方向に沿って出射する光に含まれる波長未変換の青色の光は、副波長変換部９９６３２のうちＸ軸方向についての端面９９６２０ｃに配された第３部９９６３２ｃによって緑色の光及び赤色の光に波長変換される。これにより、封止部設置端側部分９９６２０ＥＰ１を透過する波長未変換の光をさらに効率的に波長変換することができる。
【０１２９】  ＜実施形態１９＞  本発明の実施形態１９を図４８によって説明する。この実施形態１９では、上記した実施形態１８に記載したものに反射部材９９３４を追加したものを示す。なお、上記した実施形態１８と同様の構造、作用及び効果について重複する説明は省略する。本実施形態に係る主波長変換部９９７２０には、図４８に示すように、副波長変換部９９７３２に重なる形で反射部材９９３４が設けられている。反射部材９９３４は、上記した実施形態１２に記載した反射シート９９２５と同様の構造とされる。すなわち、反射部材９９３４は、表面が光の反射性に優れた白色を呈する合成樹脂製（例えば発泡ＰＥＴ製）とされている。反射部材９９３４は、副波長変換部９９７３２のうち、主波長変換部９９７２０の封止部設置端側部分９９７２０ＥＰ１におけるＸ軸方向についての端面９９７２０ｃに重ねられる第３部９９７３２ｃに対して外側（封止部設置端側部分９９７２０ＥＰ１側とは反対側）に重なる形、つまり外側から覆う形で配されている。反射部材９９３４は、側方から視た大きさが第３部９９７３２ｃとほぼ同じとされており、第３部９９７３２ｃをほぼ全域にわたって覆っている。このような構成によれば、封止部設置端側部分９９７２０ＥＰ１を透過してＸ軸方向についての端面９９７２０ｃからＸ軸方向に沿って出射する光に含まれる波長未変換の青色の光は、副波長変換部９９７３２における第３部９９７３２ｃによって緑色の光及び赤色の光に波長変換された後、反射部材９９３４により反射されてＸ軸方向について内側、つまり封止部設置端側部分９９７２０ＥＰ１側に戻され、Ｘ軸方向に沿って外部へと出射することが避けられる。これにより、副波長変換部９９７３２にて波長変換された光の利用効率が優れたものとなる。
【０１３０】  ＜実施形態２０＞  本発明の実施形態２０を図４９によって説明する。この実施形態２０では、上記した実施形態１５から副波長変換部９９８３２及び中央側副波長変換部９９８３３の配置を変更したものを示す。なお、上記した実施形態１５と同様の構造、作用及び効果について重複する説明は省略する。本実施形態に係る副波長変換部９９８３２及び中央側副波長変換部９９８３３は、図４９に示すように、２本の主波長変換部９９８２０における各端側部分９９８２０ＥＰ（封止部設置端側部分９９８２０ＥＰ１及び封止部非設置端側部分９９８２０ＥＰ２）の外面のうち、ＬＥＤ９９８１７側の面である入光面９９８２０ａに重なる形でそれぞれ配されている。つまり、この副波長変換部９９８３２及び中央側副波長変換部９９８３３は、２本の主波長変換部９９８２０における各端側部分９９８２０ＥＰの外面のうち、上記した実施形態１５にて副波長変換部９９３３２及び中央側副波長変換部９９３３が設置されていた出光面９９８２０ｂとは反対側の入光面９９８２０ａに設置されている。このような構成によれば、２本の主波長変換部９９８２０における各端側部分９９８２０ＥＰと対向する各ＬＥＤ９９８１７から出射された青色の光が、２本の主波長変換部９９８２０における各端側部分９９８２０ＥＰに入射する際に、副波長変換部９９８３２及び中央側副波長変換部９９８３３によって緑色の光及び赤色の光に波長変換される。副波長変換部９９８３２及び中央側副波長変換部９９８３３を透過した光（波長変換された緑色の光及び赤色の光及び波長未変換の青色の光を含む）は、各端側部分９９８２０ＥＰを透過して出光面９９８２０ｂから出射されて導光板９９８１９の入光端面９９８１９ｂに入射される。
【０１３１】  ＜実施形態２１＞  本発明の実施形態２１を図５０によって説明する。この実施形態２１では、上記した実施形態１５，２０から副波長変換部９９９３２及び中央側副波長変換部９９９３３の設置数を変更したものを示す。なお、上記した実施形態１５，２０と同様の構造、作用及び効果について重複する説明は省略する。本実施形態に係る副波長変換部９９９３２及び中央側副波長変換部９９９３３は、図５０に示すように、２本の主波長変換部９９９２０の各端側部分９９９２０ＥＰ（封止部設置端側部分９９９２０ＥＰ１及び封止部非設置端側部分９９９２０ＥＰ２）の外面のうち、導光板９９９１９側の面である出光面９９９２０ｂに重なる形で配されるのに加えて、ＬＥＤ９９９１７側の面である入光面９９９２０ａに重なる形でも配されている。つまり、副波長変換部９９９３２及び中央側副波長変換部９９９３３は、各端側部分９９９２０ＥＰをＹ軸方向について前後から挟み込む形で出光面９９９２０ｂ及び入光面９９９２０ａのそれぞれに一対設置されている。このような構成によれば、２本の主波長変換部９９９２０における各端側部分９９９２０ＥＰと対向する各ＬＥＤ９９９１７から出射された青色の光が、各端側部分９９９２０ＥＰに入射する際に、入光面９９９２０ａに配された副波長変換部９９９３２及び中央側副波長変換部９９９３３によって緑色の光及び赤色の光に波長変換され、さらには各端側部分９９９２０ＥＰを透過した光に含まれる波長未変換の青色の光が出射する際に、出光面９９９２０ｂに配された副波長変換部９９９３２及び中央側副波長変換部９９９３３によって緑色の光及び赤色の光に波長変換される。これにより、各端側部分９９９２０ＥＰを透過する波長未変換の光をより効率的に波長変換することができる。
【０１３２】  ＜実施形態２２＞  本発明の実施形態２２を図５１によって説明する。この実施形態２２では、上記した実施形態１５から中央側副波長変換部９９１０３３の構成を変更したものを示す。なお、上記した実施形態１５と同様の構造、作用及び効果について重複する説明は省略する。本実施形態に係る中央側副波長変換部９９１０３３は、図５１に示すように、２本の主波長変換部９９１０２０毎に分割して設置されており、２本の主波長変換部９９１０２０の間に跨ることがないものとされる。詳しくは、中央側副波長変換部９９１０３３は、２本の主波長変換部９９１０２０における各封止部非設置端側部分９９１０２０ＥＰ２のそれぞれに対して個別に取り付けられ、互いに分離されている。このような構成によれば、製造に際して２本の主波長変換部９９１０２０をバックライト装置９９１０１２内に個別に組み込むことができるので、作業性に優れる。また、例えばバックライト装置９９１０１２内に組み込んだ２本の主波長変換部９９１０２０がＹ軸方向またはＺ軸方向について位置ずれした場合でも、中央側副波長変換部９９１０３３に応力が作用することが避けられ、中央側副波長変換部９９１０３３に剥がれなどの問題が生じ難いものとなる。
【０１３３】  ＜実施形態２３＞  本発明の実施形態２３を図５２によって説明する。この実施形態２３では、上記した実施形態２２から副波長変換部９９１１３２及び中央側副波長変換部９９１１３３の配置を変更したものを示す。なお、上記した実施形態２２と同様の構造、作用及び効果について重複する説明は省略する。本実施形態に係る副波長変換部９９１１３２と、２本の主波長変換部９９１１２０毎に分割された中央側副波長変換部９９１１３３と、は、図５２に示すように、２本の主波長変換部９９１１２０における各端側部分９９１１２０ＥＰ（封止部設置端側部分９９１１２０ＥＰ１及び封止部非設置端側部分９９１１２０ＥＰ１）の外面のうち、ＬＥＤ９９１１１７側の面である入光面９９１１２０ａに重なる形でそれぞれ配されている。つまり、この副波長変換部９９１１３２及び中央側副波長変換部９９１１３３は、上記した実施形態２０に記載されたものと同様の配置とされている。
【０１３４】  ＜実施形態２４＞  本発明の実施形態２４を図５３によって説明する。この実施形態２４では、上記した実施形態２２，２３から副波長変換部９９１２３２及び中央側副波長変換部９９１２３３の設置数を変更したものを示す。なお、上記した実施形態２２，２３と同様の構造、作用及び効果について重複する説明は省略する。本実施形態に係る副波長変換部９９１２３２と、２本の主波長変換部９９１２２０毎に分割された中央側副波長変換部９９１２３３と、は、図５３に示すように、２本の主波長変換部９９１２２０の各端側部分９９１２２０ＥＰ（封止部設置端側部分９９１２２０ＥＰ１及び封止部非設置端側部分９９１２２０ＥＰ２）の外面のうち、導光板９９１２１９側の面である出光面９９１２２０ｂに重なる形で配されるのに加えて、ＬＥＤ９９１２１７側の面である入光面９９１２２０ａに重なる形でも配されている。つまり、この副波長変換部９９１２３２及び中央側副波長変換部９９１２３３は、上記した実施形態２１に記載されたものと同様の配置とされている。
【０１３５】  ＜実施形態２５＞  本発明の実施形態２５を図５４または図５５によって説明する。この実施形態２５では、上記した実施形態２１から中央側副波長変換部９９１３３３の配置を変更し、反射部材９９１３３４を追加したものを示す。なお、上記した実施形態２１と同様の構造、作用及び効果について重複する説明は省略する。
【０１３６】  本実施形態に係る２つの中央側副波長変換部９９１３３３は、図５４及び図５５に示すように、２本の主波長変換部９９１３２０において互いに隣り合う各封止部非設置端側部分９９１３２０ＥＰ２の間に跨る形で配されるとともに、各封止部非設置端側部分９９１３２０ＥＰ２における外面のうち、表側（図５５に示す上側）の面９９１３２０ｄと、裏側（図５５に示す下側）の面９９１３２０ｅと、にそれぞれ重なる形で配されている。一方の中央側副波長変換部９９１３３３が配される各封止部非設置端側部分９９１３２０ＥＰ２における表側の面９９１３２０ｄは、導光板９９１３１９における出光板面９９１３１９ａ側と同じ側の面とされる。他方の中央側副波長変換部９９１３３３が配される各封止部非設置端側部分９９１３２０ＥＰ２における裏側の面９９１３２０ｅは、導光板９９１３１９における出光板面９９１３１９ａとは反対側、つまり反対板面９９１３１９ｃ側と同じ側の面とされる。つまり、２つの中央側副波長変換部９９１３３３は、各封止部非設置端側部分９９１３２０ＥＰ２をＺ軸方向について表裏から挟み込む形で表側の面９９１３２０ｄ及び裏側の面９９１３２０ｅのそれぞれに一対設置されている。
【０１３７】  さらには、２つの中央側副波長変換部９９１３３３に対して外側には、２つの反射部材９９１３３４がそれぞれ重なる形で設けられている。一方の反射部材９９１３３４は、各封止部非設置端側部分９９１３２０ＥＰ２における表側の面９９１３２０ｄに重ねられる中央側副波長変換部９９１３３３を表側（各封止部非設置端側部分９９１３２０ＥＰ２側とは反対側）から覆う形で配されている。他方の反射部材９９１３３４は、各封止部非設置端側部分９９１３２０ＥＰ２における裏側の面９９１３２０ｅに重ねられる中央側副波長変換部９９１３３３を裏側（各封止部非設置端側部分９９１３２０ＥＰ２側とは反対側）から覆う形で配されている。各反射部材９９１３３４は、平面に視た大きさが各中央側副波長変換部９９１３３３とほぼ同じとされており、各中央側副波長変換部９９１３３３をほぼ全域にわたって覆っている。反射部材９９１３３４は、上記した実施形態８に記載した反射部材９９３４（図４８を参照）と同様の構造とされる。
【０１３８】  このような構成によれば、２本の主波長変換部９９１３２０における各封止部非設置端側部分９９１３２０ＥＰ２（容器９９１３３０の底部９９１３３０ａ）を透過して表側の面９９１３２０ｄに向かう光に含まれる波長未変換の青色の光が、表側の中央側副波長変換部９９１３３３によって緑色の光及び赤色の光に波長変換されるとともに、各封止部非設置端側部分９９１３２０ＥＰ２を透過して裏側の面９９１３２０ｅに向かう光に含まれる波長未変換の青色の光が、裏側の中央側副波長変換部９９１３３３によって緑色の光及び赤色の光に波長変換される。各中央側副波長変換部９９１３３３を透過した光は、反射部材９９１３３４により反射されてＺ軸方向について内側、つまり各封止部非設置端側部分９９１３２０ＥＰ２側に戻され、Ｚ軸方向に沿って外部へと出射することが避けられる。これにより、各中央側副波長変換部９９１３３３にて波長変換された光の利用効率が優れたものとなる。
【０１３９】  ＜実施形態２６＞  本発明の実施形態２６を図５６によって説明する。この実施形態２６では、上記した実施形態１２からＬＥＤ基板９９１５１８及び主波長変換部９９１５２０の設置数を変更したものを示す。なお、上記した実施形態１２と同様の構造、作用及び効果について重複する説明は省略する。本実施形態に係るバックライト装置９９１５１２では、図５６に示すように、ＬＥＤ９９１５１７及びＬＥＤ基板９９１５１８が、長辺側の両端部にそれぞれ配された構成となっている。詳しくは、一対のＬＥＤ基板９９１５１８は、実装された各ＬＥＤ９９１５１７が導光板９９１５１９の外周端面のうちの一対の長辺側の端面のそれぞれと対向する形で配されている。従って、本実施形態では、導光板９９１５１９の外周端面のうちの一対の長辺側の端面のそれぞれがＬＥＤ９９１５１７からの光が入射される入光端面９９１５１９ｂとされるのに対し、残りの一対の短辺側の端面が非入光端面９９１５１９ｄとされる。従って、本実施形態に係る非入光端面９９１５１９ｄには、上記した実施形態１２のような非入光反対端面９９１９ｄ１が含まれることがなく、入光端面９９１５１９ｂに隣り合う一対の非入光側端面９９１５１９ｄ２のみが含まれている。このように本実施形態に係るバックライト装置９９１５１２は、導光板９９１５１９がその短辺方向（Ｙ軸方向）についての両側から一対のＬＥＤ基板９９１５１８及びそれらに実装された各ＬＥＤ９９１５１７によって挟み込まれてなる、両側入光タイプとされている。そして、主波長変換部９９１５２０は、各ＬＥＤ基板９９１５１８と各入光端面９９１５１９ｂとの間にそれぞれ介在する形で一対が配置されている。これにより、各ＬＥＤ基板９９１５１８の各ＬＥＤ９９１５１７から発せられた光は、各主波長変換部９９１５２０にて波長変換されて導光板９９１５１９の各入光端面９９１５１９ｂに入射されるようになっている。
【０１４０】  ＜実施形態２７＞  本発明の実施形態２７を図５７によって説明する。この実施形態２７では、上記した実施形態２６からＬＥＤ基板９９１６１８及び主波長変換部９９１６２０の設置数を変更したものを示す。なお、上記した実施形態２６と同様の構造、作用及び効果について重複する説明は省略する。本実施形態に係るバックライト装置９９１６１２では、図５７に示すように、ＬＥＤ９９１６１７及びＬＥＤ基板９９１６１８が、長辺側の両端部と、一方の短辺側の端部と、にそれぞれ配された構成となっている。詳しくは、各ＬＥＤ基板９９１６１８は、実装された各ＬＥＤ９９１６１７が導光板９９１６１９の外周端面のうちの一対の長辺側の端面及び一方の短辺側の端面のそれぞれと対向する形で配されている。従って、本実施形態では、導光板９９１６１９の外周端面のうちの一対の長辺側の端面及び一方の短辺側の端面のそれぞれがＬＥＤ９９１６１７からの光が入射される入光端面９９１６１９ｂとされるのに対し、残りの他方の短辺側の端面が非入光端面９９１６１９ｄとされる。従って、本実施形態に係る非入光端面９９１６１９ｄは、短辺側の入光端面９９１６１９ｂに対しては非入光反対端面９９１６１９ｄ１となり且つ一対の長辺側の入光端面９９１６１９ｂに対しては非入光側端面９９１６１９ｄ２となっている。このように本実施形態に係るバックライト装置９９１６１２は、導光板９９１６１９がその３つの辺部に倣って配される３つのＬＥＤ基板９９１６１８及びそれらに実装された各ＬＥＤ９９１６１７から入光される、３辺入光タイプとされている。そして、主波長変換部９９１６２０は、各ＬＥＤ基板９９１６１８と各入光端面９９１６１９ｂとの間にそれぞれ介在する形で３つが配置されている。これにより、各ＬＥＤ基板９９１６１８の各ＬＥＤ９９１６１７から発せられた光は、各主波長変換部９９１６２０にて波長変換されて導光板９９１６１９の各入光端面９９１６１９ｂに入射されるようになっている。
【０１４１】  ＜実施形態２８＞  本発明の実施形態２８を図５８によって説明する。この実施形態２８では、上記した実施形態２６からＬＥＤ基板９９１７１８及び主波長変換部９９１７２０の設置数を変更したものを示す。なお、上記した実施形態２６と同様の構造、作用及び効果について重複する説明は省略する。本実施形態に係るバックライト装置９９１７１２では、図５８に示すように、ＬＥＤ９９１７１７及びＬＥＤ基板９９１７１８が、長辺側の両端部と、短辺側の両端部と、にそれぞれ配された構成、つまり外周側端部の全周にわたって配された構成となっている。詳しくは、各ＬＥＤ基板９９１７１８は、実装された各ＬＥＤ９９１７１７が導光板９９１７１９の外周端面の全周にわたって対向する形で配されている。従って、本実施形態では、導光板９９１７１９の外周端面が全周にわたってＬＥＤ９９１７１７からの光が入射される入光端面９９１７１９ｂとされており、導光板９９１７１９の外周端面に非入光端面が有されない構成とされている。このように本実施形態に係るバックライト装置９９１７１２は、導光板９９１７１９がその４つの辺部に倣って配される４つのＬＥＤ基板９９１７１８及びそれらに実装された各ＬＥＤ９９１７１７から入光される、４辺入光タイプとされている。そして、主波長変換部９９１７２０は、各ＬＥＤ基板９９１７１８と各入光端面９９１７１９ｂとの間にそれぞれ介在する形で４つが配置されている。これにより、各ＬＥＤ基板９９１７１８の各ＬＥＤ９９１７１７から発せられた光は、各主波長変換部９９１７２０にて波長変換されて導光板９９１７１９の各入光端面９９１７１９ｂに入射されるようになっている。
【０１４２】  ＜実施形態２９＞  本発明の実施形態２９を図５９によって説明する。この実施形態２９では、上記した実施形態１４からＬＥＤ基板９９１８１８の設置数を変更したものを示す。なお、上記した実施形態１４と同様の構造、作用及び効果について重複する説明は省略する。本実施形態に係るＬＥＤ基板９９１８１８は、図５９に示すように、導光板９９１８１９の入光端面９９１８１９ｂの長さ方向（Ｘ軸方向）に沿って３枚が互いに隣り合う形で並んで配されている。各ＬＥＤ基板９９１８１８は、その長さ寸法が各主波長変換部９９１８２０の長さ寸法よりも短いものとされている。このうち、Ｘ軸方向について両端に位置する一対のＬＥＤ基板９９１８１８に実装された複数のＬＥＤ９９１８１７の一部（バックライト装置９９１８１２におけるＸ軸方向について端に位置するＬＥＤ９９１８１７）は、各主波長変換部９９１８２０における封止部設置端側部分９９１８２０ＥＰ１とＸ軸方向について重なり合う配置とされる。これに対し、Ｘ軸方向について中央に位置するＬＥＤ基板９９１８１８に実装された複数のＬＥＤ９９１８１７の一部（バックライト装置９９１８１２におけるＸ軸方向について中央に位置するＬＥＤ９９１８１７）は、各主波長変換部９９１８２０における封止部非設置端側部分９９１８２０ＥＰ２とＸ軸方向について重なり合う配置とされる。このような構成によれば、より大型のバックライト装置９９１８１２に好適とされる。
【０１４３】  ＜他の実施形態＞  本発明は上記記述及び図面によって説明した実施形態に限定されるものではなく、例えば次のような実施形態も本発明の技術的範囲に含まれる。  （１）上記した実施形態１，２を組み合わせて、波長変換部の多発光量部である端側部分における蛍光体の含有濃度を中央側部分よりも高くし、且つ端側部分を中央側部分よりも太くするようにしても構わない。  （２）上記した実施形態２，３を組み合わせて、波長変換部における一方（封止部側）の端側部分が中央側部分及び他方の端側部分よりも太くなるようにしても構わない。  （３）上記した実施形態２，４を組み合わせて、波長変換部における一対の端側部分をそれぞれ中央側部分よりも太くし、さらには一方（封止部側）の端側部分を他方の端側部分よりも太くすることも可能である。  （４）上記した実施形態２，４に記載した構成（波長変換部における両端側部分または一方の端側部分を太くする構成）を、実施形態５〜７に適宜に組み合わせることも可能である。特に、実施形態４，６を組み合わせると、導光板の入光端面における長さ方向についての中央側において、波長変換部の他方（封止部側とは反対側）の端側部分が互いに隣り合う配置となることに起因して色ムラの発生が懸念される場合に有効である。  （５）上記した実施形態２〜７に記載した構成を、実施形態８〜１１に適宜に組み合わせることも可能である。  （６）上記した実施形態５では、波長変換部における一方の端側部分と他方の端側部分とで、単位長さ当たりの蛍光体の含有量及び波長変換される光量が異なる場合を示したが、波長変換部における一方の端側部分と他方の端側部分とで、単位長さ当たりの蛍光体の含有量及び波長変換される光量が同一とされていても構わない。  （７）上記した実施形態５，６では、導光板の入光端面の長さ方向に沿って波長変換部が２本並ぶ構成を例示したが、同長さ方向に沿って波長変換部が３本以上並ぶ構成であっても構わない。
【０１４４】  （８）上記した各実施形態（実施形態９〜１１を除く）では、導光板における一方の長辺側の端面を入光端面とした片側入光タイプのバックライト装置を例示したが、導光板における他方の長辺側の端面を入光端面とした片側入光タイプのバックライト装置にも本発明は適用可能である。また、導光板におけるいずれか一方の短辺側の端面を入光端面とした片側入光タイプのバックライト装置にも本発明は適用可能である。  （９）上記した実施形態９では、導光板における一対の長辺側の端面をそれぞれ入光端面とした両側入光タイプのバックライト装置を例示したが、導光板における一対の短辺側の端面をそれぞれ入光端面とした両側入光タイプのバックライト装置にも本発明は適用可能である。  （１０）上記した実施形態１０では、導光板における他方の短辺側の端面を非入光端面とした３辺入光タイプのバックライト装置を例示したが、導光板における一方の短辺側の端面や一対の長辺側の端面のいずれか一方を非入光端面とした３辺入光タイプのバックライト装置にも本発明は適用可能である。  （１１）上記した各実施形態では、ＬＥＤが青色ＬＥＤ素子を備える構成を示したが、青色ＬＥＤ素子に代えて可視光線である紫色の光を発する紫色ＬＥＤ素子を備えたＬＥＤや紫外線（例えば近紫外線）を発する紫外線ＬＥＤ素子（近紫外線ＬＥＤ素子）などを用いることも可能である。紫色ＬＥＤ素子または紫外線ＬＥＤ素子を備えるＬＥＤに組み合わせて用いられる波長変換部には、赤色蛍光体、緑色蛍光体及び青色蛍光体を含有させるのが好ましいものとされる。それ以外にも、紫色ＬＥＤ素子または紫外線ＬＥＤ素子を備えるＬＥＤに組み合わせて用いられる波長変換部には、赤色蛍光体、緑色蛍光体及び青色蛍光体の中から選択される１色または２色の蛍光体を含有させ、残りの２色または１色の蛍光体をＬＥＤの封止材に含有させるようにしてもよい。また、これら以外にも具体的な蛍光体の色などは適宜に変更可能である。  （１２）上記した各実施形態では、ＬＥＤが青色ＬＥＤ素子を有し、波長変換部が緑色蛍光体及び赤色蛍光体を有する構成を例示したが、ＬＥＤが青色ＬＥＤ素子に加えて赤色の光を発する赤色ＬＥＤ素子を有することでマゼンタ色の光を発する構成とし、それに組み合わせて用いられる波長変換部が緑色蛍光体を有する構成とすることも可能である。この赤色ＬＥＤ素子に代えて、ＬＥＤの封止材に青色の光を励起光として赤色の光を発する赤色蛍光体を含有させるようにしても構わない。  （１３）上記した（１２）以外にも、ＬＥＤが青色ＬＥＤ素子に加えて緑色の光を発する緑色ＬＥＤ素子を有することでシアン色の光を発する構成とし、それに組み合わせて用いられる波長変換部が赤色蛍光体を有する構成とすることも可能である。この緑色ＬＥＤ素子に代えて、ＬＥＤの封止材に青色の光を励起光として緑色の光を発する緑色蛍光体を含有させるようにしても構わない。  （１４）上記した各実施形態では、波長変換部が緑色蛍光体及び赤色蛍光体を含む構成とされる場合を示したが、波長変換部に黄色蛍光体のみを含ませた構成としたり、黄色蛍光体に加えて赤色蛍光体や緑色蛍光体を含ませた構成としたりすることも可能である。  （１５）上記した各実��形態では、波長変換部に含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。  （１６）上記した各実施形態では、波長変換部に含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。また、波長変換部に含まれる蛍光体として用いた量子ドット蛍光体を、Ｃｄ（カドミウム）を含有しない量子ドット蛍光体とすることも可能である。  （１７）上記した各実施形態では、波長変換部に量子ドット蛍光体を含有させた構成のものを例示したが、他の種類の蛍光体を波長変換部に含有させるようにしても構わない。例えば、波長変換部に含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。  （１８）上記した（１７）以外にも、波長変換部に含有させる緑色蛍光体を、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、波長変換シートに含有させる赤色蛍光体を、(Ｃａ，Ｓｒ，Ｂａ) 2ＳｉＯ5Ｎ8：Ｅｕ2+、ＣａＡｌＳｉＮ3：Ｅｕ2+、複フッ化物蛍光体（マンガン付活のケイフッ化カリウム（Ｋ2ＴｉＦ6）など）などとすることができる。さらには、波長変換シートに含有させる黄色蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。  （１９）上記した（１７），（１８）以外にも、波長変換部に含有させる蛍光体として有機蛍光体を用いることができる。有機蛍光体としては、例えばトリアゾールまたはオキサジアゾールを基本骨格とした低分子の有機蛍光体を用いることができる。  （２０）上記した（１７），（１８），（１９）以外にも、波長変換部に含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【符号の説明】
【０１４５】  １０...液晶表示装置（表示装置）、１０ＴＶ...テレビ受信装置、１１...液晶パネル（表示パネル）、１２，４１２，７１２，８１２，９１２，１０１２...バックライト装置（照明装置）、１７，１１７，４１７，６１７，７１７，８１７，９１７，１０１７...ＬＥＤ（光源）、１９，２１９，４１９，５１９，７１９，８１９，９１９，１０１９...導光板、１９ａ...出光板面、１９ｂ，２１９ｂ，４１９ｂ，５１９ｂ，７１９ｂ，８１９ｂ，９１９ｂ，１０１９ｂ...入光端面、２０，１２０，２２０，３２０，４２０，５２０，７２０，８２０，９２０，１０２０...波長変換部、２０ＣＰ，１２０ＣＰ，２２０ＣＰ，３２０ＣＰ，４２０ＣＰ，５２０ＣＰ...中央側部分、２０ＥＰ，１２０ＥＰ，２２０ＥＰ，３２０ＥＰ，４２０ＥＰ，５２０ＥＰ...端側部分、２９，１２９，２２９，３２９...蛍光体含有部（蛍光体）、３０，１３０，２３０，３３０...容器、３１，１３１，２３１，３３１，４３１，５３１，６３１...封止部、３２，２３２，３３２，４３２，５３２，６３２...多発光量部
【図１】
2017051848.tif 000003
【図２】
2017051848.tif 000004
【図３】
2017051848.tif 000005
【図４】
2017051848.tif 000006
【図５】
2017051848.tif 000007
【図６】
2017051848.tif 000008
【図７】
2017051848.tif 000009
【図８】
2017051848.tif 000010
【図９】
2017051848.tif 000011
【図１０】
2017051848.tif 000012
【図１１】
2017051848.tif 000013
【図１２】
2017051848.tif 000014
【図１３】
2017051848.tif 000015
【図１４】
2017051848.tif 000016
【図１５】
2017051848.tif 000017
【図１６】
2017051848.tif 000018
【図１７】
2017051848.tif 000019
【図１８】
2017051848.tif 000020
【図１９】
2017051848.tif 000021
【図２０】
2017051848.tif 000022
【図２１】
2017051848.tif 000023
【図２２】
2017051848.tif 000024
【図２３】
2017051848.tif 000025
【図２４】
2017051848.tif 000026
【図２５】
2017051848.tif 000027
【図２６】
2017051848.tif 000028
【図２７】
2017051848.tif 000029
【図２８】
2017051848.tif 000030
【図２９】
2017051848.tif 000031
【図３０】
2017051848.tif 000032
【図３１】
2017051848.tif 000033
【図３２】
2017051848.tif 000034
【図３３】
2017051848.tif 000035
【図３４】
2017051848.tif 000036
【図３５】
2017051848.tif 000037
【図３６】
2017051848.tif 000038
【図３７】
2017051848.tif 000039
【図３８】
2017051848.tif 000040
【図３９】
2017051848.tif 000041
【図４０】
2017051848.tif 000042
【図４１】
2017051848.tif 000043
【図４２】
2017051848.tif 000044
【図４３】
2017051848.tif 000045
【図４４】
2017051848.tif 000046
【図４５】
2017051848.tif 000047
【図４６】
2017051848.tif 000048
【図４７】
2017051848.tif 000049
【図４８】
2017051848.tif 000050
【図４９】
2017051848.tif 000051
【図５０】
2017051848.tif 000052
【図５１】
2017051848.tif 000053
【図５２】
2017051848.tif 000054
【図５３】
2017051848.tif 000055
【図５４】
2017051848.tif 000056
【図５５】
2017051848.tif 000057
【図５６】
2017051848.tif 000058
【図５７】
2017051848.tif 000059
【図５８】
2017051848.tif 000060
【図５９】
2017051848.tif 000061
【国際調査報告】
2017051848.tif 000062
2017051848.tif 000063
2017051848.tif 000064